(57)【要約】  本出願の実施例は、伝送パラメータ確定方法、端末装置とネットワーク装置を提供し、Ｒｅｌ  １５の端末装置が新しいＭＣＳテーブルに基づいて伝送パラメータを確定し、又は既存の伝送パラメータに基づいて伝送パラメータを確定し、それによってＲｅｌ  １５の端末装置の伝送ニーズを満たす。前記方法は、端末装置が、チャネルビジー率（ＣＢＲ）と伝送待ちサービスの優先度に基づいて第一の伝送パラメータを確定することと、該端末装置が該第一の伝送パラメータを用いて該伝送待ちサービスを送信することとを含む。
2021503192.tif 000002
【特許請求の範囲】
【請求項１】
伝送パラメータ確定方法であって、
端末装置が、チャネルビジー率（ＣＢＲ）と伝送待ちサービスの優先度に基づいて第一の伝送パラメータを確定することと、
前記端末装置が、前記第一の伝送パラメータを用いて前記伝送待ちサービスを送信することとを含む、前記伝送パラメータ確定方法。
【請求項２】
前記方法はさらに、
前記端末装置が少なくとも一つの割合係数を取得し、ここで、前記少なくとも一つの割合係数がネットワーク装置によって配置され又は前記端末装置に予め配置されることを含み、
前記端末装置がＣＢＲと伝送待ちサービスの優先度に基づいて第一の伝送パラメータを確定することは、
前記端末装置が、前記ＣＢＲと前記伝送待ちサービスの優先度に基づいて第二の伝送パラメータを確定することと、
前記端末装置が、前記少なくとも一つの割合係数を用いて前記第二の伝送パラメータに対して処理し、前記第一の伝送パラメータを取得することとを含むことを特徴とする
請求項１に記載の方法。
【請求項３】
前記端末装置が、前記ＣＢＲと前記伝送待ちサービスの優先度に基づいて第二の伝送パラメータを確定することは、
前記端末装置が第一のマッピング関係を取得し、前記第一のマッピング関係がＣＢＲ、サービスの優先度と第二の伝送パラメータとのマッピング関係を表すことと、
前記端末装置が前記ＣＢＲ、前記伝送待ちサービスの優先度と前記マッピング関係に基づいて前記第二の伝送パラメータを確定することとを含み、
ここで、前記第一のマッピング関係が前記端末装置に予め配置され、又はネットワーク装置によって配置されることを特徴とする
請求項２に記載の方法。
【請求項４】
前記第一の伝送パラメータは、変調及び符号化スキーム（ＭＣＳ）範囲及び／又は物理リソースブロック（ＰＲＢ）数範囲であり、前記第二の伝送パラメータは、ＭＣＳ範囲及び／又はＰＲＢ数範囲であることを特徴とする
請求項２又は３に記載の方法。
【請求項５】
前記第一の伝送パラメータと前記第二の伝送パラメータはＭＣＳ範囲であり、前記端末装置が割合係数Ｋを取得しており、Ｋが０より大きい実数であり、
前記端末装置が、前記少なくとも一つの割合係数を用いて前記第二の伝送パラメータに対して処理し、前記第一の伝送パラメータを取得することは、
前記端末装置が前記割合係数Ｋを用い、前記第二の伝送パラメータの最小ＭＣＳインデックスに対して処理し、前記第一の伝送パラメータの最小ＭＣＳインデックスを取得し、前記割合係数Ｋを用い、前記第二の伝送パラメータの最大ＭＣＳインデックスに対して処理し、前記第一の伝送パラメータの最大ＭＣＳインデックスを取得することと、
前記端末装置が前記第一の伝送パラメータの最小ＭＣＳインデックスと最大ＭＣＳインデックスに基づき、前記第一の伝送パラメータを確定することとを含むことを特徴とする
請求項４に記載の方法。
【請求項６】
前記第一の伝送パラメータと前記第二の伝送パラメータはＭＣＳ範囲であり、前記端末装置が割合係数Ｍ、Ｎを取得しており、Ｍが０より大きい実数であり、Ｎが０より大きい実数であり、
前記端末装置が、前記少なくとも一つの割合係数を用いて前記第二の伝送パラメータに対して処理し、前記第一の伝送パラメータを取得することは、
前記端末装置が前記割合係数Ｍを用い、前記第二の伝送パラメータの最小ＭＣＳインデックスに対して処理し、前記第一の伝送パラメータの最小ＭＣＳインデックスを取得し、前記割合係数Ｎを用い、前記第二の伝送パラメータの最大ＭＣＳインデックスに対して処理し、前記第一の伝送パラメータの最大ＭＣＳインデックスを取得することと、
前記ネットワーク装置が、前記第一の伝送パラメータの最小ＭＣＳインデックスと最大ＭＣＳインデックスに基づき、前記第一の伝送パラメータを確定することとを含むことを特徴とする
請求項４に記載の方法。
【請求項７】
前記第一の伝送パラメータと前記第二の伝送パラメータはＰＲＢ数範囲であり、前記端末装置が割合係数Ｑを取得しており、Ｑが０より大きい実数であり、
前記端末装置が、前記少なくとも一つの割合係数を用いて前記第二の伝送パラメータに対して処理し、前記第一の伝送パラメータを取得することは、
前記端末装置が前記割合係数Ｑを用い、前記第二の伝送パラメータの最小ＰＲＢ数に対して処理し、前記第一の伝送パラメータの最小ＰＲＢ数を取得し、前記割合係数Ｑを用い、前記第二の伝送パラメータの最大ＰＲＢ数に対して処理し、前記第一の伝送パラメータの最大ＰＲＢ数を取得することと、
前記端末装置が、前記第一の伝送パラメータの最小ＰＲＢ数と最大ＰＲＢ数に基づき、前記第一の伝送パラメータを確定することとを含むことを特徴とする
請求項４−６のいずれか一項に記載の方法。
【請求項８】
前記第一の伝送パラメータと前記第二の伝送パラメータはＰＲＢ数範囲であり、前記端末装置が割合係数Ｘ、Ｙを取得しており、Ｘが０より大きい実数であり、Ｙが０より大きい実数であり、
前記端末装置が、前記少なくとも一つの割合係数を用いて前記第二の伝送パラメータに対して処理し、前記第一の伝送パラメータを取得することは、
前記端末装置が前記割合係数Ｘを用い、前記第二の伝送パラメータの最小ＰＲＢ数に対して処理し、前記第一の伝送パラメータの最小ＰＲＢ数を取得し、前記割合係数Ｙを用い、前記第二の伝送パラメータの最大ＰＲＢ数に対して処理し、前記第一の伝送パラメータの最大ＰＲＢ数を取得することと、
前記端末装置が、前記第一の伝送パラメータの最小ＰＲＢ数と最大ＰＲＢ数に基づき、前記第一の伝送パラメータを確定することとを含むことを特徴とする
請求項４−６のいずれか一項に記載の方法。
【請求項９】
前記方法はデバイスツデバイス（Ｄ２Ｄ）システムに応用されることを特徴とする
請求項１−８のいずれか一項に記載の方法。
【請求項１０】
伝送パラメータ確定方法であって、
ネットワーク装置が、端末装置に第一の伝送パラメータに対する少なくとも一つの割合係数を配置し、これにより、前記端末装置が前記少なくとも一つの割合係数を用いて第二の伝送パラメータに対して処理し、前記第一の伝送パラメータを取得するようにすることを含み、
ここで、前記第一の伝送パラメータは、前記端末装置が伝送待ちサービスを送信するためのパラメータであり、前記第二の伝送パラメータは、チャネルビジー率（ＣＢＲ）と前記伝送待ちサービスの優先度に基づいて確定される、前記伝送パラメータ確定方法。
【請求項１１】
前記方法はさらに、
前記ネットワーク装置が、前記端末装置にＣＢＲ、サービスの優先度と第二の伝送パラメータとのマッピング関係を配置し、これにより、前記端末装置が前記ＣＢＲ、前記伝送待ちサービスの優先度と前記マッピング関係に基づいて前記第二の伝送係数を確定するようにすることを含むことを特徴とする
請求項１０に記載の方法。
【請求項１２】
前記ネットワーク装置が、前記端末装置にＣＢＲ、サービスの優先度と第二の伝送パラメータとのマッピング関係を配置することは、
前記ネットワーク装置が、無線リソース制御（ＲＲＣ）シグナリングにより前記端末装置に前記マッピング関係を配置することを含むことを特徴とする
請求項１１に記載の方法。
【請求項１３】
前記第一の伝送パラメータは、変調及び符号化スキーム（ＭＣＳ）範囲及び／又は物理リソースブロック（ＰＲＢ）数範囲であり、前記第二の伝送パラメータは、ＭＣＳ範囲及び／又はＰＲＢ数範囲であることを特徴とする
請求項１０−１２のいずれか一項に記載の方法。
【請求項１４】
前記ネットワーク装置が、端末装置に第一の伝送パラメータに対する少なくとも一つの割合係数を配置することは、
前記ネットワーク装置が、ＲＲＣシグナリングにより前記端末装置に前記少なくとも一つの割合係数を配置することを含むことを特徴とする
請求項１０−１３のいずれか一項に記載の方法。
【請求項１５】
前記方法はデバイスツデバイス（Ｄ２Ｄ）システムに応用されることを特徴とする
請求項１０−１４のいずれか一項に記載の方法。
【請求項１６】
伝送パラメータ確定方法であって、
ネットワーク装置が、第一の端末装置に第一のマッピング関係を配置し、前記第一のマッピング関係が、チャネルビジー率（ＣＢＲ）、サービス優先度と第一の伝送パラメータとの対応関係を示すことに用いられることと、
前記ネットワーク装置が、第二の端末装置に第二のマッピング関係を配置し、前記第二のマッピング関係が、ＣＢＲ、サービス優先度と第二の伝送パラメータとの対応関係を示すことに用いられることとを含み、
ここで、前記第一の伝送パラメータが第一の変調及び符号化スキーム（ＭＣＳ）インデックスを含み、前記第二の伝送パラメータが第二のＭＣＳインデックスを含む、前記伝送パラメータ確定方法。
【請求項１７】
前記第一のＭＣＳインデックスが第一のＭＣＳテーブルに基づいて取得され、前記第二のＭＣＳインデックスが第二のＭＣＳテーブルに基づいて取得され、ここで、前記第一のＭＣＳテーブルと前記第二のＭＣＳテーブルが異なることを特徴とする
請求項１６に記載の方法。
【請求項１８】
前記第一の端末装置がＲｅｌ−１５通信プロトコルをサポートし、前記第二の端末装置がＲｅｌ−１４通信プロトコルをサポートすることを特徴とする
請求項１６又は１７に記載の方法。
【請求項１９】
前記方法はデバイスツデバイス（Ｄ２Ｄ）システムに応用されることを特徴とする
請求項１６−１８のいずれか一項に記載の方法。
【請求項２０】
伝送パラメータ確定方法であって、
第一の端末装置が、チャネルビジー率（ＣＢＲ）、伝送待ちサービスの優先度と第一のマッピング関係に基づき、前記第一の端末装置の伝送パラメータを確定し、前記第一のマッピング関係が、ＣＢＲ、サービス優先度と第一の端末装置の伝送パラメータとの対応関係を示すことに用いられることを含み、
ここで、前記第一の端末装置の伝送パラメータが変調及び符号化スキーム（ＭＣＳ）インデックスを含み、前記第一の端末装置のＭＣＳインデックスに対応するＭＣＳテーブルが、第二の端末装置のＭＣＳインデックスに対応するＭＣＳテーブルと異なり、前記第二の端末装置が、前記第一の端末装置と異なるバージョンの通信プロトコルをサポートする端末装置である、前記伝送パラメータ確定方法。
【請求項２１】
前記方法はさらに、
前記第一の端末装置が、ネットワーク装置から前記第一のマッピング関係を受信することを含むことを特徴とする
請求項２０に記載の方法。
【請求項２２】
前記第一のマッピング関係が前記第一の端末装置に予め配置されることを特徴とする
請求項２０に記載の方法。
【請求項２３】
前記第一の端末装置がＲｅｌ−１５通信プロトコルをサポートし、前記第二の端末装置がＲｅｌ−１４通信プロトコルをサポートすることを特徴とする
請求項２０−２２のいずれか一項に記載の方法。
【請求項２４】
前記方法はデバイスツデバイス（Ｄ２Ｄ）システムに応用されることを特徴とする
請求項２０−２３のいずれか一項に記載の方法。
【請求項２５】
端末装置であって、
チャネルビジー率（ＣＢＲ）と伝送待ちサービスの優先度に基づいて第一の伝送パラメータを確定するように構成される処理ユニットと、
前記第一の伝送パラメータを用いて前記伝送待ちサービスを送信するように構成される送信ユニットとを備える、前記端末装置。
【請求項２６】
前記処理ユニットは、さらに少なくとも一つの割合係数を取得するように構成され、ここで、前記少なくとも一つの割合係数がネットワーク装置によって配置され又は前記端末装置に予め配置され、
前記処理ユニットは、さらに前記ＣＢＲと前記伝送待ちサービスの優先度に基づいて第二の伝送パラメータを確定するように構成され、
前記処理ユニットは、さらに前記少なくとも一つの割合係数を用いて前記第二の伝送パラメータに対して処理し、前記第一の伝送パラメータを取得するように構成されることを特徴とする
請求項２５に記載の端末装置。
【請求項２７】
前記処理ユニットは、さらに第一のマッピング関係を取得するように構成され、前記第一のマッピング関係がＣＢＲ、サービスの優先度と第二の伝送パラメータとのマッピング関係を表し、
前記処理ユニットは、さらに前記ＣＢＲ、前記伝送待ちサービスの優先度と前記マッピング関係に基づいて前記第二の伝送パラメータを確定するように構成され、
ここで、前記第一のマッピング関係が前記端末装置に予め配置され、又はネットワーク装置によって配置されることを特徴とする
請求項２６に記載の端末装置。
【請求項２８】
前記第一の伝送パラメータは、変調及び符号化スキーム（ＭＣＳ）範囲及び／又は物理リソースブロック（ＰＲＢ）数範囲であり、前記第二の伝送パラメータは、ＭＣＳ範囲及び／又はＰＲＢ数範囲であることを特徴とする
請求項２６又は２７に記載の端末装置。
【請求項２９】
前記第一の伝送パラメータと前記第二の伝送パラメータはＭＣＳ範囲であり、前記処理ユニットは割合係数Ｋを取得しており、Ｋが０より大きい実数であり、
前記処理ユニットはさらに前記割合係数Ｋを用い、前記第二の伝送パラメータの最小ＭＣＳインデックスに対して処理し、前記第一の伝送パラメータの最小ＭＣＳインデックスを取得し、前記割合係数Ｋを用い、前記第二の伝送パラメータの最大ＭＣＳインデックスに対して処理し、前記第一の伝送パラメータの最大ＭＣＳインデックスを取得するように構成され、
前記処理ユニットはさらに前記第一の伝送パラメータの最小ＭＣＳインデックスと最大ＭＣＳインデックスに基づき、前記第一の伝送パラメータを確定するように構成されることを特徴とする
請求項２８に記載の端末装置。
【請求項３０】
前記第一の伝送パラメータと前記第二の伝送パラメータはＭＣＳ範囲であり、前記処理ユニットは割合係数Ｍ、Ｎを取得しており、Ｍが０より大きい実数であり、Ｎが０より大きい実数であり、
前記処理ユニットはさらに前記割合係数Ｍを用い、前記第二の伝送パラメータの最小ＭＣＳインデックスに対して処理し、前記第一の伝送パラメータの最小ＭＣＳインデックスを取得し、前記割合係数Ｎを用い、前記第二の伝送パラメータの最大ＭＣＳインデックスに対して処理し、前記第一の伝送パラメータの最大ＭＣＳインデックスを取得するように構成され、
前記処理ユニットはさらに前記第一の伝送パラメータの最小ＭＣＳインデックスと最大ＭＣＳインデックスに基づき、前記第一の伝送パラメータを確定するように構成されることを特徴とする
請求項２８に記載の端末装置。
【請求項３１】
前記第一の伝送パラメータと前記第二の伝送パラメータはＰＲＢ数範囲であり、前記処理ユニットは割合係数Ｑを取得しており、Ｑが０より大きい実数であり、
前記処理ユニットは、さらに前記割合係数Ｑを用い、前記第二の伝送パラメータの最小ＰＲＢ数に対して処理し、前記第一の伝送パラメータの最小ＰＲＢ数を取得し、前記割合係数Ｑを用い、前記第二の伝送パラメータの最大ＰＲＢ数に対して処理し、前記第一の伝送パラメータの最大ＰＲＢ数を取得するように構成され、
前記処理ユニットは、さらに前記第一の伝送パラメータの最小ＰＲＢ数と最大ＰＲＢ数に基づき、前記第一の伝送パラメータを確定するように構成されることを特徴とする
請求項２８−３０のいずれか一項に記載の端末装置。
【請求項３２】
前記第一の伝送パラメータと前記第二の伝送パラメータはＰＲＢ数範囲であり、前記処理ユニットは割合係数Ｘ、Ｙを取得しており、Ｘが０より大きい実数であり、Ｙが０より大きい実数であり、
前記処理ユニットは、さらに前記割合係数Ｘを用い、前記第二の伝送パラメータの最小ＰＲＢ数に対して処理し、前記第一の伝送パラメータの最小ＰＲＢ数を取得し、前記割合係数Ｙを用い、前記第二の伝送パラメータの最大ＰＲＢ数に対して処理し、前記第一の伝送パラメータの最大ＰＲＢ数を取得するように構成され、
前記処理ユニットは、さらに前記第一の伝送パラメータの最小ＰＲＢ数と最大ＰＲＢ数に基づき、前記第一の伝送パラメータを確定するように構成されることを特徴とする
請求項２８−３０のいずれか一項に記載の端末装置。
【請求項３３】
前記端末装置はデバイスツデバイス（Ｄ２Ｄ）システムに応用されることを特徴とする請求項２５−３２のいずれか一項に記載の端末装置。
【請求項３４】
ネットワーク装置であって、
端末装置に第一の伝送パラメータに対する少なくとも一つの割合係数を配置し、これにより、前記端末装置が前記少なくとも一つの割合係数を用いて第二の伝送パラメータに対して処理し、前記第一の伝送パラメータを取得するようにするように構成される処理ユニットを備え、
ここで、前記第一の伝送パラメータは、前記端末装置が伝送待ちサービスを送信するためのパラメータであり、前記第二の伝送パラメータは、チャネルビジー率（ＣＢＲ）と前記伝送待ちサービスの優先度に基づいて確定される、前記ネットワーク装置。
【請求項３５】
前記処理ユニットは、さらに前記端末装置にＣＢＲ、サービスの優先度と第二の伝送パラメータとのマッピング関係を配置し、これにより、前記端末装置が前記ＣＢＲ、前記伝送待ちサービスの優先度と前記マッピング関係に基づいて前記第二の伝送係数を確定するようにするように構成されることを含むことを特徴とする
請求項３４に記載のネットワーク装置。
【請求項３６】
前記処理ユニットは、さらに無線リソース制御（ＲＲＣ）シグナリングによって前記端末装置に前記マッピング関係を配置するように構成されることを特徴とする
請求項３５に記載のネットワーク装置。
【請求項３７】
前記第一の伝送パラメータは、変調及び符号化スキーム（ＭＣＳ）範囲及び／又は物理リソースブロック（ＰＲＢ）数範囲であり、前記第二の伝送パラメータは、ＭＣＳ範囲及び／又はＰＲＢ数範囲であることを特徴とする
請求項３４−３６のいずれか一項に記載のネットワーク装置。
【請求項３８】
前記処理ユニットは、さらにＲＲＣシグナリングによって前記端末装置に前記少なくとも一つの割合係数を配置するように構成されることを特徴とする
請求項３４−３７のいずれか一項に記載のネットワーク装置。
【請求項３９】
前記端末装置はデバイスツデバイス（Ｄ２Ｄ）システムに応用されることを特徴とする
請求項３４−３８のいずれか一項に記載のネットワーク装置。
【請求項４０】
ネットワーク装置であって、
第一の端末装置に第一のマッピング関係を配置するように構成され、前記第一のマッピング関係が、チャネルビジー率（ＣＢＲ）、サービス優先度と第一の伝送パラメータとの対応関係を示すことに用いられる処理ユニットを備え、
前記処理ユニットはさらに第二の端末装置に第二のマッピング関係を配置するように構成され、前記第二のマッピング関係が、ＣＢＲ、サービス優先度と第二の伝送パラメータとの対応関係を示すことに用いられ、
ここで、前記第一の伝送パラメータが第一の変調及び符号化スキーム（ＭＣＳ）インデックスを含み、前記第二の伝送パラメータが第二のＭＣＳインデックスを含む、前記ネットワーク装置。
【請求項４１】
前記第一のＭＣＳインデックスが第一のＭＣＳテーブルに基づいて取得され、前記第二のＭＣＳインデックスが第二のＭＣＳテーブルに基づいて取得され、ここで、前記第一のＭＣＳテーブルと前記第二のＭＣＳテーブルが異なることを特徴とする
請求項４０に記載のネットワーク装置。
【請求項４２】
前記第一の端末装置がＲｅｌ−１５通信プロトコルをサポートし、前記第二の端末装置がＲｅｌ−１４通信プロトコルをサポートすることを特徴とする
請求項４０又は４１に記載のネットワーク装置。
【請求項４３】
前記第一の端末装置と前記第二の端末装置はデバイスツデバイス（Ｄ２Ｄ）システムに応用されることを特徴とする
請求項４０−４２のいずれか一項に記載のネットワーク装置。
【請求項４４】
端末装置であって、
チャネルビジー率（ＣＢＲ）と第一のマッピング関係に基づき、前記端末装置の伝送パラメータを確定するように構成され、前記第一のマッピング関係がＣＢＲ、サービス優先度と前記端末装置の伝送パラメータとの対応関係を示すことに用いられる処理ユニットを備え、
ここで、前記端末装置の伝送パラメータが変調及び符号化スキーム（ＭＣＳ）インデックスを含み、前記端末装置のＭＣＳインデックスに対応するＭＣＳテーブルが他の端末装置のＭＣＳインデックスに対応するＭＣＳテーブルと異なり、前記他の端末装置が前記端末装置と異なるバージョンの通信プロトコルをサポートする端末装置である、前記端末装置。
【請求項４５】
前記端末装置はさらに、
ネットワーク装置から前記第一のマッピング関係を受信するように構成される受信ユニットを備えることを特徴とする
請求項４４に記載の端末装置。
【請求項４６】
前記第一のマッピング関係が前記第一の端末装置に予め配置されることを特徴とする
請求項４４に記載の端末装置。
【請求項４７】
前記端末装置がＲｅｌ−１５通信プロトコルをサポートし、前記端末装置がＲｅｌ−１４通信プロトコルをサポートすることを特徴とする
請求項４４−４６のいずれか一項に記載の端末装置。
【請求項４８】
前記端末装置はデバイスツデバイス（Ｄ２Ｄ）システムに応用されることを特徴とする
請求項４４−４７のいずれか一項に記載の端末装置。
【発明の詳細な説明】
【技術分野】
【０００１】
本出願は通信分野に関し、且つより具体的には、伝送パラメータ確定方法、端末装置とネットワーク装置に関する。
【背景技術】
【０００２】
バージョン（Ｒｅｌ  １４：Ｒｅｌｅａｓｅ  １４）のカーインターネットシステムでは、ネットワーク装置（例えば基地局）は、ロングタームエボリューション（ＬＴＥ：Ｌｏｎｇ  Ｔｅｒｍ  Ｅｖｏｌｕｔｉｏｎ）の既存の変調及び符号化スキーム（ＭＣＳ：Ｍｏｄｕｌａｔｉｏｎ  ａｎｄ  Ｃｏｄｉｎｇ  Ｓｃｈｅｍｅ）テーブルに基づいて伝送パラメータ、例えばＭＣＳ範囲を配置する。
【０００３】
バージョンＲｅｌ  １５のカーインターネットシステムでは、新しいＭＣＳテーブルが導入されるとともに、伝送パラメータに対して新たな要求が提出され、例えば、６４直交振幅変調（ＱＡＭ：Ｑｕａｄｒａｔｕｒｅ  Ａｍｐｌｉｔｕｄｅ  Ｍｏｄｕｌａｔｉｏｎ）変調をサポートする必要がある。したがって、Ｒｅｌ  １５では、どのように新しいＭＣＳテーブルに基づいて伝送パラメータを配置するか、又はどのように既存の伝送パラメータに基づいてＲｅｌ  １５の端末装置に対する伝送パラメータを確定するかは、解決すべき緊急の問題である。
【発明の概要】
【発明が解決しようとする課題】
【０００４】
本出願の実施例は、伝送パラメータ確定方法、端末装置とネットワーク装置を提供し、Ｒｅｌ  １５の端末装置が新しいＭＣＳテーブルに基づいて伝送パラメータを確定し、又は既存の伝送パラメータに基づいて伝送パラメータを確定し、それによってＲｅｌ  １５の端末装置の伝送ニーズを満たす。
【課題を解決するための手段】
【０００５】
第一の態様では、本出願の実施例による伝送パラメータ確定方法は、
端末装置が、チャネルビジー率（ＣＢＲ）と伝送待ちサービスの優先度に基づいて第一の伝送パラメータを確定することと、
該端末装置が該第一の伝送パラメータを用いて該伝送待ちサービスを送信することとを含む。
【０００６】
選択可能に、該端末装置はＲｅｌ  １５通信をサポートする端末装置であってもよい。
【０００７】
したがって、本出願の実施例による伝送パラメータ確定方法では、端末装置はＣＢＲと伝送待ちサービスの優先度に基づき、伝送待ちサービスを送信するための第一の伝送パラメータを確定し、これにより、端末装置はＲｅｌ  １５伝送ニーズを満たす伝送パラメータを確定することができる。
【０００８】
選択可能に、第一の態様の一つの実施形態では、該方法はさらに、
該端末装置が少なくとも一つの割合係数を取得し、ここで、該少なくとも一つの割合係数がネットワーク装置によって配置され又は該端末装置に予め配置されることを含み、
該端末装置がＣＢＲと伝送待ちサービスの優先度に基づいて第一の伝送パラメータを確定することは、
該端末装置が該ＣＢＲと該伝送待ちサービスの優先度に基づいて第二の伝送パラメータを確定することと、
該端末装置が該少なくとも一つの割合係数を用いて該第二の伝送パラメータに対して処理し、該第一の伝送パラメータを取得することとを含む。
【０００９】
したがって、本出願の実施例による伝送パラメータ確定方法では、端末装置は少なくとも一つの割合係数を用い、ＣＢＲと伝送待ちサービスの優先度に基づいて確定された第二の伝送パラメータに対して処理し、伝送待ちサービスを送信するための第一の伝送パラメータを取得することができ、これにより、端末装置は既存の伝送パラメータに基づいてＲｅｌ  １５に対する伝送パラメータを確定することができ、さらに端末装置の伝送ニーズを満たす。
【００１０】
選択可能に、ネットワーク装置は無線リソース制御（ＲＲＣ）シグナリングによって該少なくとも一つの割合係数を配置することができる。
【００１１】
選択可能に、第一の態様の一つの実施形態では、該端末装置が該ＣＢＲと該伝送待ちサービスの優先度に基づいて第二の伝送パラメータを確定することは、
該端末装置が第一のマッピング関係を取得し、該第一のマッピング関係がＣＢＲ、サービスの優先度と第二の伝送パラメータとのマッピング関係を表すことと、
該端末装置が該ＣＢＲ、該伝送待ちサービスの優先度と該第一のマッピング関係に基づいて該第二の伝送パラメータを確定することとを含み、
ここで、該第一のマッピング関係が該端末装置に予め配置され、又はネットワーク装置によって配置される。
【００１２】
選択可能に、該ＣＢＲ、サービスの優先度と第二の伝送パラメータとのマッピング関係がＣＢＲ、サービスの優先度と第二の伝送パラメータとの一枚のマッピングテーブルであってもよい。
【００１３】
選択可能に、ネットワーク装置はＲＲＣシグナリングによって該ＣＢＲ、サービスの優先度と第二の伝送パラメータとのマッピング関係を配置することができる。
【００１４】
さらに、端末装置はＣＢＲ、サービスの優先度と第二の伝送パラメータとのマッピング関係、及びＣＢＲと伝送待ちサービスの優先度に基づいて第二の伝送パラメータを確定することができ、それによって第一の伝送パラメータを確定することができる。
【００１５】
選択可能に、第一の態様の一つの実施形態では、該第一の伝送パラメータは、変調及び符号化スキーム（ＭＣＳ）範囲、物理リソースブロック（ＰＲＢ）数範囲とサブバンド数範囲のうちの少なくとも一つであり、該第二の伝送パラメータはＭＣＳ範囲、ＰＲＢ数範囲とサブバンド数範囲のうちの少なくとも一つである。
【００１６】
選択可能に、第一の態様の一つの実施形態では、該第一の伝送パラメータと該第二の伝送パラメータはＭＣＳ範囲であり、該端末装置が割合係数Ｋを取得しており、Ｋが０より大きい実数であり、
該端末装置が該少なくとも一つの割合係数を用いて該第二の伝送パラメータに対して処理し、該第一の伝送パラメータを取得することは、
該端末装置が該割合係数Ｋを用い、該第二の伝送パラメータの最小ＭＣＳインデックスに対して処理し、該第一の伝送パラメータの最小ＭＣＳインデックスを取得し、該割合係数Ｋを用い、該第二の伝送パラメータの最大ＭＣＳインデックスに対して処理し、該第一の伝送パラメータの最大ＭＣＳインデックスを取得することと、
該端末装置が該第一の伝送パラメータの最小ＭＣＳインデックスと最大ＭＣＳインデックスに基づき、該第一の伝送パラメータを確定することとを含む。
【００１７】
選択可能に、第一の態様の一つの実施形態では、該第一の伝送パラメータと該第二の伝送パラメータはＭＣＳ範囲であり、該端末装置が割合係数Ｍ、Ｎを取得しており、Ｍが０より大きい実数であり、Ｎが０より大きい実数であり、
該端末装置が該少なくとも一つの割合係数を用いて該第二の伝送パラメータに対して処理し、該第一の伝送パラメータを取得することは、
該端末装置が該割合係数Ｍを用い、該第二の伝送パラメータの最小ＭＣＳインデックスに対して処理し、該第一の伝送パラメータの最小ＭＣＳインデックスを取得し、該割合係数Ｎを用い、該第二の伝送パラメータの最大ＭＣＳインデックスに対して処理し、該第一の伝送パラメータの最大ＭＣＳインデックスを取得することと、
該ネットワーク装置が該第一の伝送パラメータの最小ＭＣＳインデックスと最大ＭＣＳインデックスに基づき、該第一の伝送パラメータを確定することとを含む。
【００１８】
理解すべきものとして、割合係数Ｍ、Ｎが異なる値である。
【００１９】
選択可能に、第一の態様の一つの実施形態では、該第一の伝送パラメータと該第二の伝送パラメータはＰＲＢ数範囲であり、該端末装置が割合係数Ｑを取得しており、Ｑが０より大きい実数であり、
該端末装置が該少なくとも一つの割合係数を用いて該第二の伝送パラメータに対して処理し、該第一の伝送パラメータを取得することは、
該端末装置が該割合係数Ｑを用い、該第二の伝送パラメータの最小ＰＲＢ数に対して処理し、該第一の伝送パラメータの最小ＰＲＢ数を取得し、該割合係数Ｑを用い、該第二の伝送パラメータの最大ＰＲＢ数に対して処理し、該第一の伝送パラメータの最大ＰＲＢ数を取得することと、
該端末装置が該第一の伝送パラメータの最小ＰＲＢ数と最大ＰＲＢ数に基づき、該第一の伝送パラメータを確定することとを含む。
【００２０】
選択可能に、第一の態様の一つの実施形態では、該第一の伝送パラメータと該第二の伝送パラメータはＰＲＢ数範囲であり、該端末装置が割合係数Ｘ、Ｙを取得しており、Ｘが０より大きい実数であり、Ｙが０より大きい実数であり、
該端末装置が該少なくとも一つの割合係数を用いて該第二の伝送パラメータに対して処理し、該第一の伝送パラメータを取得することは、
該端末装置が該割合係数Ｘを用い、該第二の伝送パラメータの最小ＰＲＢ数に対して処理し、該第一の伝送パラメータの最小ＰＲＢ数を取得し、該割合係数Ｙを用い、該第二の伝送パラメータの最大ＰＲＢ数に対して処理し、該第一の伝送パラメータの最大ＰＲＢ数を取得することと、
該端末装置が該第一の伝送パラメータの最小ＰＲＢ数と最大ＰＲＢ数に基づき、該第一の伝送パラメータを確定することとを含む。
【００２１】
理解すべきものとして、割合係数Ｘ、Ｙが異なる値である。
【００２２】
選択可能に、第一の態様の一つの実施形態では、該第一の伝送パラメータと該第二の伝送パラメータはサブバンド数範囲であり、該端末装置は割合係数Ｒを取得し、Ｒが０より大きい実数であり、
該端末装置が該少なくとも一つの割合係数を用いて該第二の伝送パラメータに対して処理し、該第一の伝送パラメータを取得することは、
該端末装置が該割合係数Ｒを用い、該第二の伝送パラメータの最小サブバンド数に対して処理し、該第一の伝送パラメータの最小サブバンド数を取得し、該割合係数Ｒを用い、該第二の伝送パラメータの最大サブバンド数に対して処理し、該第一の伝送パラメータの最大サブバンド数を取得することと、
該端末装置が該第一の伝送パラメータの最小サブバンド数と最大サブバンド数に基づき、該第一の伝送パラメータを確定することとを含む。
【００２３】
選択可能に、第一の態様の一つの実施形態では、該第一の伝送パラメータと該第二の伝送パラメータはサブバンド数範囲であり、該端末装置は割合係数Ｖ、Ｗを取得し、Ｖが０より大きい実数であり、Ｗが０より大きい実数であり、
該端末装置が該少なくとも一つの割合係数を用いて該第二の伝送パラメータに対して処理し、該第一の伝送パラメータを取得することは、
該端末装置が該割合係数Ｖを用い、該第二の伝送パラメータの最小サブバンド数に対して処理し、該第一の伝送パラメータの最小サブバンド数を取得し、該割合係数Ｗを用い、該第二の伝送パラメータの最大サブバンド数に対して処理し、該第一の伝送パラメータの最大サブバンド数を取得することと、
該端末装置が該第一の伝送パラメータの最小サブバンド数と最大サブバンド数に基づき、該第一の伝送パラメータを確定することとを含む。
【００２４】
理解すべきものとして、割合係数Ｖ、Ｗが異なる値である。
【００２５】
選択可能に、第一の態様の一つの実施形態では、該方法はデバイスツーデバイス（Ｄ２Ｄ）システムに応用される。
【００２６】
第二の態様では、本出願の実施例による伝送パラメータ確定方法は、
ネットワーク装置が、端末装置に第一の伝送パラメータに対する少なくとも一つの割合係数を配置し、これにより該端末装置が該少なくとも一つの割合係数を用いて第二の伝送パラメータに対して処理し、該第一の伝送パラメータを取得するようにすることを含み、
ここで、該第一の伝送パラメータは該端末装置が伝送待ちサービスを送信するためのパラメータであり、該第二の伝送パラメータは、チャネルビジー率（ＣＢＲ）と該伝送待ちサービスの優先度に基づいて確定される。
【００２７】
選択可能に、該端末装置はＲｅｌ  １５通信をサポートする端末装置であってもよい。
【００２８】
したがって、本出願の実施例による伝送パラメータ確定方法では、端末装置は少なくとも一つの割合係数を用い、ＣＢＲと伝送待ちサービスの優先度に基づいて確定された第二の伝送パラメータに対して処理し、伝送待ちサービスを送信するための第一の伝送パラメータを取得し、これにより、端末装置は既存の伝送待ちパラメータに基づいてＲｅｌ  １５に対する伝送パラメータを確定することができ、さらに端末装置の伝送ニーズを満たす。
【００２９】
選択可能に、第二の態様の一つの実施形態では、該方法はさらに、
該ネットワーク装置が該端末装置にＣＢＲ、サービスの優先度と第二の伝送パラメータとのマッピング関係を配置し、これにより、該端末装置が該ＣＢＲ、該伝送待ちサービスの優先度と該マッピング関係に基づいて該第二の伝送係数を確定するようにすることを含む。
【００３０】
選択可能に、第二の態様の一つの実施形態では、該ネットワーク装置が該端末装置にＣＢＲ、サービスの優先度と第二の伝送パラメータとのマッピング関係を配置することは、
該ネットワーク装置が無線リソース制御（ＲＲＣ）シグナリングによって該端末装置に該マッピング関係を配置することを含む。
【００３１】
選択可能に、該ＣＢＲ、サービスの優先度と第二の伝送パラメータとのマッピング関係がＣＢＲ、サービスの優先度と第二の伝送パラメータとの一枚のマッピングテーブルであってもよい。
【００３２】
選択可能に、第二の態様の一つの実施形態では、該第一の伝送パラメータは、変調及び符号化スキーム（ＭＣＳ）範囲及び／又は物理リソースブロック（ＰＲＢ）数範囲であり、該第二の伝送パラメータは、ＭＣＳ範囲及び／又はＰＲＢ数範囲である。
【００３３】
選択可能に、第二の態様の一つの実施形態では、該ネットワーク装置が、端末装置に第一の伝送パラメータに対する少なくとも一つの割合係数を配置することは、
該ネットワーク装置がＲＲＣシグナリングによって該端末装置に該少なくとも一つの割合係数を配置することを含む。
【００３４】
選択可能に、第二の態様の一つの実施形態では、該方法はデバイスツーデバイス（Ｄ２Ｄ）システムに応用される。
【００３５】
第三の態様では、本出願の実施例による伝送パラメータ確定方法は、
ネットワーク装置が、第一の端末装置に第一のマッピング関係を配置し、該第一のマッピング関係が、チャネルビジー率（ＣＢＲ）、サービス優先度と第一の伝送パラメータとの対応関係を示すことに用いられることと、
該ネットワーク装置が、第二の端末装置に第二のマッピング関係を配置し、該第二のマッピング関係が、ＣＢＲ、サービス優先度と第二の伝送パラメータとの対応関係を示すことに用いられることとを含み、
ここで、該第一の伝送パラメータが第一の変調及び符号化スキーム（ＭＣＳ）インデックスを含み、該第二の伝送パラメータが第二のＭＣＳインデックスを含む。
【００３６】
したがって、本出願の実施例による伝送パラメータ確定方法では、ネットワーク装置は第一の端末装置に第一のマッピング関係を配置し、これにより、第一の端末装置は該第一のマッピング関係に基づいて第一のＭＣＳインデックスを含む第一の伝送パラメータを確定することができ、同時に、ネットワーク装置は第二の端末装置に第二のマッピング関係を配置し、これにより、第二の端末装置は第二のマッピング関係に基づいて第二のＭＣＳインデックスを含む第二の伝送パラメータを確定することができる。
【００３７】
選択可能に、第三の態様の一つの実施形態では、該第一のＭＣＳインデックスが第一のＭＣＳテーブルに基づいて取得され、該第二のＭＣＳインデックスが第二のＭＣＳテーブルに基づいて取得され、ここで、該第一のＭＣＳテーブルと該第二のＭＣＳテーブルが異なる。
【００３８】
さらに、第一のＭＣＳインデックスに対応する第一のＭＣＳテーブルと第二のＭＣＳインデックスに対応する第二のＭＣＳテーブルが異なるため、端末装置はそれにサポートされる通信プロトコルにおけるＭＣＳテーブルに基づき、そのＭＣＳインデックスを確定することができる。
【００３９】
選択可能に、第三の態様の一つの実施形態では、該第一の端末装置がＲｅｌ−１５通信プロトコルをサポートし、該第二の端末装置がＲｅｌ−１４通信プロトコルをサポートする。
【００４０】
選択可能に、第三の態様の一つの実施形態では、該方法はデバイスツーデバイス（Ｄ２Ｄ）システムに応用される。
【００４１】
第四の態様では、本出願の実施例による伝送パラメータ確定方法は、
第一の端末装置がチャネルビジー率（ＣＢＲ）、伝送待ちサービスの優先度と第一のマッピング関係に基づき、該第一の端末装置の伝送パラメータを確定し、該第一のマッピング関係が、ＣＢＲ、サービス優先度と第一の端末装置の伝送パラメータとの対応関係を示すことに用いられることを含み、
ここで、該第一の端末装置の伝送パラメータが変調及び符号化スキーム（ＭＣＳ）インデックスを含み、該第一の端末装置のＭＣＳインデックスに対応するＭＣＳテーブルが、第二の端末装置のＭＣＳインデックスに対応するＭＣＳテーブルと異なり、該第二の端末装置が該第一の端末装置と異なるバージョンの通信プロトコルをサポートする端末装置である。
【００４２】
したがって、本出願の実施例による伝送パラメータ確定方法では、第一の端末装置はＣＢＲ、伝送待ちサービスの優先度と第一のマッピング関係に基づき、第一の端末装置の伝送パラメータを確定し、同時に、第一の端末装置のＭＣＳインデックスに対応するＭＣＳテーブルと第二の端末装置のＭＣＳテーブルに対応するＭＣＳテーブルが異なるため、第一の端末装置はそれにサポートされる通信プロトコルにおけるＭＣＳテーブルに基づき、そのＭＣＳインデックスを確定することができる。
【００４３】
選択可能に、第四の態様の一つの実施形態では、該方法はさらに、
該第一の端末装置がネットワーク装置から該第一のマッピング関係を受信することを含む。
【００４４】
選択可能に、第四の態様の一つの実施形態では、該第一のマッピング関係は、該第一の端末装置に予め配置される。
【００４５】
選択可能に、第四の態様の一つの実施形態では、該第一の端末装置がＲｅｌ−１５通信プロトコルをサポートし、該第二の端末装置がＲｅｌ−１４通信プロトコルをサポートする。
【００４６】
選択可能に、第四の態様の一つの実施形態では、該方法はデバイスツーデバイス（Ｄ２Ｄ）システムに応用される。
【００４７】
第五の態様では、本出願の実施例による端末装置は、第一の態様又は第一の態様のいずれかの選択可能な実施形態における方法を実行するためのモジュール又はユニットを備えることができる。
【００４８】
第六の態様によるネットワーク装置は、第二の態様又は第二の態様のいずれかの選択可能な実施形態における方法を実行するためのモジュール又はユニットを備えることができる。
【００４９】
第七の態様では、本出願の実施例によるネットワーク装置は、第三の態様又は第三の態様のいずれかの選択可能な実施形態における方法を実行するためのモジュール又はユニットを備えることができる。
【００５０】
第八の態様では、本出願の実施例による端末装置は、第四の態様又は第四の態様のいずれかの選択可能な実施形態における方法を実行するためのモジュール又はユニットを備えることができる。
【００５１】
第九の態様による端末装置は、プロセッサ、メモリと通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第一の態様又は第一の態様のいずれかの可能な実施形態における方法を実行する。
【００５２】
第十の態様によるネットワーク装置は、プロセッサ、メモリと通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第二の態様又は第二の態様のいずれかの可能な実施形態における方法を実行する。
【００５３】
第十一の態様によるネットワーク装置は、プロセッサ、メモリと通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第三の態様又は第三の態様のいずれかの可能な実施形態における方法を実行する。
【００５４】
第十二の態様による端末装置は、プロセッサ、メモリと通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第四の態様又は第四の態様のいずれかの可能な実施形態における方法を実行する。
【００５５】
第十三の態様によるコンピュータ記憶媒体は、第一の態様又は第一の態様のいずれか一つの可能な実施形態における方法を実行するようにコンピュータに指示するためのプログラムコードを、記憶する。
【００５６】
第十四の態様によるコンピュータ記憶媒体は、第二の態様又は第二の態様のいずれか一つの可能な実施形態における方法を実行するようにコンピュータに指示するためのプログラムコードを、記憶する。
【００５７】
第十五の態様によるコンピュータ記憶媒体は、第三の態様又は第三の態様のいずれか一つの可能な実施形態における方法を実行するようにコンピュータに指示するためのプログラムコードを、記憶する。
【００５８】
第十六の態様によるコンピュータ記憶媒体は、第四の態様又は第四の態様のいずれか一つの可能な実施形態における方法を実行するようにコンピュータに指示するためのプログラムコードを、記憶する。
【００５９】
第十七の態様による命令を含むコンピュータプログラム製品は、コンピュータで実行される場合、コンピュータが上記の様々な態様に記載される方法を実行する。
【図面の簡単な説明】
【００６０】
【図１】本出願の実施例の一つの応用シーンを示す概略図である。
【図２】本出願の実施例の別の応用シーンを示す概略図である。
【図３】本出願の実施例による伝送パラメータ確定方法を示す概略フローチャートである。
【図４】本出願の実施例による別の伝送パラメータ確定方法を示す概略フローチャートである。
【図５】本出願の実施例による別の伝送パラメータ確定方法を示す概略フローチャートである。
【図６】本出願の実施例による別の伝送パラメータ確定方法を示す概略フローチャートである。
【図７】本出願の実施例による端末装置を示す概略ブロック図である。
【図８】本出願の実施例によるネットワーク装置を示す概略ブロック図である。
【図９】本出願の実施例による別のネットワーク装置を示す概略ブロック図である。
【図１０】本出願の実施例による別の端末装置を示す概略ブロック図である。
【図１１】本出願の実施例による伝送パラメータ確定装置を示す概略ブロック図である。
【図１２】本出願の実施例によるシステムチップを示す概略構造図である。
【発明を実施するための形態】
【００６１】
以下に本発明の実施例の図面を組み合わせながら、本出願の実施例における技術的解決策を明確に、全面的に説明する。
【００６２】
理解すべきものとして、本出願の実施例の技術的解決策はデバイスツデバイス（Ｄ２Ｄ：Ｄｅｖｉｃｅ  ｔｏ  Ｄｅｖｉｃｅ）通信システム、例えば、ロングタームエボリューション（ＬＴＥ：Ｌｏｎｇ  Ｔｅｒｍ  Ｅｖｏｌｕｔｉｏｎ）に基づいてＤ２Ｄ通信を行うカーインターネットシステムに応用されてもよい。従来のＬＴＥシステムにおける、端末間の通信データがネットワーク装置（例えば基地局）によって受信又は送信される方式とは異なり、カーインターネットシステムは、端末間直接通信の方式を用い、そのためより高いスペクトル効率及びより低い伝送遅延を有する。
【００６３】
選択可能に、カーインターネットシステムが基づく通信システムは、グローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇの新しい無線（ＮＲ：Ｎｅｗ  Ｒａｄｉｏ）システムなどであってもよい。
【００６４】
本出願の実施例における端末装置はＤ２Ｄ通信を実現することができる端末装置であってもよい。例えば、該端末装置は車載端末装置であってもよいし、５Ｇネットワークにおける端末装置又は将来の進化する公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例はこれらに限定されない。
【００６５】
図１と図２は本出願の実施例の一つの応用シーンを示す概略図である。図１に一つのネットワーク装置と２つの端末装置が例示的に示され、選択可能に、本出願の実施例における無線通信システムは複数のネットワーク装置を備えることができ且つ各ネットワーク装置のカバレッジで他の数の端末装置を備えることができ、本出願の実施例はこれに限定されない。
【００６６】
選択可能に、該無線通信システムはさらにモバイル管理エンティティ（ＭＭＥ：Ｍｏｂｉｌｅ  Ｍａｎａｇｅｍｅｎｔ  Ｅｎｔｉｔｙ）、サービングゲートウェイ（Ｓ−ＧＷ：Ｓｅｒｖｉｎｇ  Ｇａｔｅｗａｙ）、パケットデータネットワークゲートウェイ（Ｐ−ＧＷ：Ｓｅｒｖｉｎｇ  Ｇａｔｅｗａｙ）などの他のネットワークエンティティを含むことができ、又は、該無線通信システムはさらにセッション管理機能（ＳＭＦ：Ｓｅｓｓｉｏｎ  Ｍａｎａｇｅｍｅｎｔ  Ｆｕｎｃｔｉｏｎ）、統一データ管理（ＵＤＭ：Ｕｎｉｆｉｅｄ  Ｄａｔａ  Ｍａｎａｇｅｍｅｎｔ）、認証サーバー機能（ＡＵＳＦ：Ａｕｔｈｅｎｔｉｃａｔｉｏｎ  Ｓｅｒｖｅｒ  Ｆｕｎｃｔｉｏｎ）などの他のネットワークエンティティを含むことができ、本出願の実施例はこれに限定されない。
【００６７】
具体的には、端末装置２０と端末装置３０はＤ２Ｄ通信モードで通信することができ、Ｄ２Ｄ通信を行う時に、端末装置２０と端末装置３０はＤ２Ｄリンク即ちサイドリンク（ＳＬ：Ｓｉｄｅｌｉｎｋ）を介して直接通信することができる。例えば図１又は図２に示すように、端末装置２０と端末装置３０はサイドリンクを介して直接通信する。図１において、端末装置２０と端末装置３０がサイドリンクを介して通信し、その伝送リソースがネットワーク装置によって割り当てられる。図２において、端末装置２０と端末装置３０はサイドリンクを介して通信し、その伝送リソースが端末装置によって自発的に選択され、ネットワークによって伝送リソースを割り当てる必要がない。
【００６８】
Ｄ２Ｄ通信は車両間（Ｖｅｈｉｃｌｅ  ｔｏ  Ｖｅｈｉｃｌｅ：「Ｖ２Ｖ」と略称）通信又は車両から他の装置まで（Ｖ２Ｘ：Ｖｅｈｉｃｌｅ  ｔｏ  Ｅｖｅｒｙｔｈｉｎｇ）通信を指すことができる。Ｖ２Ｘ通信では、Ｘが一般的に無線送受信能力を有するいかなる装置を指し、例えば低速で移動する無線装置、高速で移動する車載デバイス、又は無線送受信能力を有するネットワーク制御ノードなどであるがこれらに限定されない。理解すべきものとして、本発明の実施例は主にＶ２Ｘ通信シーンに応用されるが、いずれかの他のＤ２Ｄ通信シーンに応用されてもよく、本出願の実施例はこれに限定されない。
【００６９】
カーインターネットシステムでは、２つのタイプの端末装置、即ち傍受能力を有する端末装置例えば車載端末（ＶＵＥ：Ｖｅｈｉｃｌｅ  Ｕｓｅｒ  Ｅｑｕｉｐｍｅｎｔ）又は歩行者用ハンドヘルド端末（ＰＵＥ：Ｐｅｄｅｓｔｒｉａｎ  Ｕｓｅｒ  Ｅｑｕｉｐｍｅｎｔ）、及び傍受能力を有しない端末装置例えばＰＵＥが存在してもよい。ＶＵＥはより高い処理能力を有し、通常車内のバッテリーによって電力が供給されるが、ＰＵＥの処理能力が低く、消費電力の削減もＰＵＥが考慮する必要がある主要な要因でり、したがって、従来のカーインターネットシステムでは、ＶＵＥは、完全な受信能力及び傍受能力を有すると考えられ、ＰＵＥは受信及び傍受能力を部分的に有し、又は有しないと考えられる。ＰＵＥは一部の傍受能力を有する場合、そのリソースの選択がＶＵＥと類似する傍受方法を用いることができ、傍受可能な一部のリソースで利用可能なリソースの選択を行い、ＰＵＥが傍受能力をしない場合、ＰＵＥは、リソースプールから伝送リソースをランダムに選択する。
【００７０】
第３世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）プロトコルをサポートするＲｅｌｅａｓｅ−１４のカーインターネットシステムでは、端末装置はシステムの輻輳程度、例えばチャネルビジー率（ＣＢＲ：Ｃｈａｎｎｅｌ  Ｂｕｓｙ  Ｒａｔｉｏ）を測定することができ、ネットワーク装置（例えば基地局）はいくつかの端末装置を配置して測定結果を基地局に報告することができ、基地局は端末装置から報告されたＣＢＲ及びサービスの優先度に基づいて伝送パラメータ、例えば、端末装置で許可されるＭＣＳ範囲、利用可能な物理リソースブロック（ＰＢＲ：Ｐｈｙｓｉｃａｌ  Ｒｅｓｏｕｒｃｅ  Ｂｌｏｃｋ）数範囲、再送回数、最大送信電力などを配置することができる。
【００７１】
Ｒｅｌ−１４のカーインターネットシステムでは、サポートされる最大ＭＣＳ変調次数が１６ＱＡＭであり、６４ＱＡＭ変調方式がサポートされない。Ｒｅｌ−１５のカーインターネットシステムでは、より高い伝送レートをサポートするために、６４ＱＡＭの伝送をサポートする必要があるが、カーインターネットシステムのフレーム構造がＬＴＥシステムに対してより多くのパイロットシンボルを有するため、６４ＱＡＭに対応するＭＣＳレベルにはコードレートが１より大きいことが可能性があり、したがってＬＴＥの既存のＭＣＳテーブルを変更し、伝送ブロックサイズ（ＴＢＳ：Ｔｒａｎｓｍｉｓｓｉｏｎ  Ｂｌｏｃｋ  Ｓｉｚｅ）テーブルに対して割合調整を行う必要がある。
【００７２】
Ｒｅｌ−１５のカーインターネットシステムでは、新しいＭＣＳテーブルが導入され、したがって、新しいＭＣＳテーブルに基づいてＲｅｌ−１５の端末装置に対する伝送パラメータを配置することができる。
【００７３】
また、本出願の実施例の各態様又は特徴は方法、装置又は標準的なプログラミング又はエンジニアリング技術を用いた製品として実現されてもよい。本出願で使用される用語「製品」はいかなるコンピュータ可読デバイス、キャリア又はメディアからアクセスすることができるコンピュータプログラムを包含する。例えば、コンピュータ可読媒体は、磁気メモリデバイス（例えば、ハードディスク、フロッピーディスク又は磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）など）、スマートカード及びフラッシュメモリデバイス（例えば消去可能プログラマブル読み出し専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライバなど）を含むことができるがこれらに限定されない。また、本明細書で記載される様々な記憶媒体は、情報を記憶するための一つ又は複数の装置及び／又は他の機械可読媒体を表すことができる。用語「機械可読媒体」は命令及び／又はデータを記憶、包含又は含むことができる各種の媒体を含むことができるがこれらに限定されない。
【００７４】
理解すべきものとして、本明細書で用語「システム」と「ネットワーク」は常に本明細書で互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００７５】
図３は本出願の実施例による伝送パラメータ確定方法２００を示す概略フローチャートである。図３に示すように、該方法２００は端末装置によって実行されてもよく、該端末装置が図１又は図２に示す端末装置であってもよく、該方法２００におけるネットワーク装置が図１に示すネットワーク装置であってもよく、該方法２００は以下の内容を含む。
【００７６】
２１０において、端末装置は、ＣＢＲと伝送待ちサービスの優先度に基づいて第一の伝送パラメータを確定する。
【００７７】
選択可能に、該第一の伝送パラメータはＭＣＳ範囲、ＰＲＢ数範囲とサブバンド数範囲のうちの少なくとも一つである。
【００７８】
選択可能に、該端末装置はＲｅｌ  １５通信を行うことができる端末装置である。
【００７９】
選択可能に、該方法２００はさらに、
該端末装置が少なくとも一つの割合係数を取得することを含む。
【００８０】
例えば、該端末装置は、ネットワーク装置によって配置された該少なくとも一つの割合係数を受信する。
【００８１】
選択可能に、ネットワーク装置は無線リソース制御（ＲＲＣ：Ｒａｄｉｏ  Ｒｅｓｏｕｒｃｅ  Ｃｏｎｔｒｏｌ）シグナリングによって端末装置に該少なくとも一つの割合係数を配置することができる。
【００８２】
また、例えば、該少なくとも一つの割合係数は該端末装置に予め配置される。
【００８３】
具体的には、該端末装置は次の方式で該第一の伝送パラメータを確定ことができる。
【００８４】
該端末装置は該ＣＢＲと該伝送待ちサービスの優先度に基づいて第二の伝送パラメータを確定する。
【００８５】
該端末装置は該少なくとも一つの割合係数を用いて該第二の伝送パラメータに対して処理し、該第一の伝送パラメータを取得する。
【００８６】
選択可能に、該第二の伝送パラメータはＭＣＳ範囲、ＰＲＢ数範囲とサブバンド数範囲のうちの少なくとも一つである。
【００８７】
理解すべきものとして、該第一の伝送パラメータがＭＣＳ範囲である場合、該第二の伝送パラメータもＭＣＳ範囲であり、該第一の伝送パラメータがＰＲＢ数範囲である場合、該第二の伝送パラメータもＰＲＢ数範囲であり、該第一の伝送パラメータがサブバンド数範囲である場合、該第二の伝送パラメータもサブバンド数範囲である。
【００８８】
選択可能に、該方法２００はさらに、
該端末装置が第一のマッピング関係を取得し、該第一のマッピング関係がＣＢＲ、サービスの優先度と第二の伝送パラメータとのマッピング関係を表すことを含む。
【００８９】
例えば、該端末装置は、ネットワーク装置によって配置された該第一のマッピング関係を受信する。
【００９０】
選択可能に、該ネットワーク装置はＲＲＣシグナリングによって該端末装置に該第一のマッピング関係を配置することができる。
【００９１】
また、例えば、該第一のマッピング関係は該端末装置に予め配置されてもよい。
【００９２】
選択可能に、該第一のマッピング関係はＣＢＲ、サービスの優先度と第二の伝送パラメータとのマッピング関係が表せる一枚のテーブルであってもよい。
【００９３】
具体的には、該端末装置は次の方式で該第二の伝送パラメータを確定ことができる。
【００９４】
該端末装置は該ＣＢＲ、該伝送待ちサービスの優先度と該第一のマッピング関係に基づいて該第二の伝送パラメータを確定する。
【００９５】
選択可能に、該第一の伝送パラメータの最小ＭＣＳインデックスがバージョン１５の物理サイドリンク共有チャネルの最小ＭＣＳインデックス（ｍｉｎＭＣＳ−ＰＳＳＣＨ−ｒ１５：Ｍｉｎｉｍｕｍ  Ｍｏｄｕｌａｔｉｏｎ  ａｎｄ  Ｃｏｄｉｎｇ  Ｓｃｈｅｍｅ−Ｐｈｙｓｉｃａｌ  Ｓｉｄｅｌｉｎｋ  Ｓｈａｒｅｄ  Ｃｈａｎｎｅｌ−Ｒｅｌｅａｓｅ１５）で表されてもよく、該第一の伝送パラメータの最大ＭＣＳインデックスがｍａｘＭＣＳ−ＰＳＳＣＨ−ｒ１５で表されてもよく、該第二の伝送パラメータの最小ＭＣＳインデックスがｍｉｎＭＣＳ−ＰＳＳＣＨ−ｒ１４で表されてもよく、該第二の伝送パラメータの最大ＭＣＳインデックスがｍａｘＭＣＳ−ＰＳＳＣＨ−ｒ１４で表されてもよい。
【００９６】
選択可能に、該第一の伝送パラメータと該第二の伝送パラメータはＭＣＳ範囲であり、該端末装置が割合係数Ｋを取得しており、Ｋが０より大きい実数であり、
該端末装置は該割合係数Ｋを用い、該第二の伝送パラメータの最小ＭＣＳインデックスに対して処理し、該第一の伝送パラメータの最小ＭＣＳインデックスを取得し、該割合係数Ｋを用い、該第二の伝送パラメータの最大ＭＣＳインデックスに対して処理し、該第一の伝送パラメータの最大ＭＣＳインデックスを取得し、
該端末装置は、該第一の伝送パラメータの最小ＭＣＳインデックスと最大ＭＣＳインデックスに基づき、該第一の伝送パラメータを確定する。
【００９７】
例えば、ｍｉｎＭＣＳ−ＰＳＳＣＨ−ｒ１５＝ｃｅｉｌ（Ｋ＊ｍｉｎＭＣＳ−ＰＳＳＣＨ−ｒ１４）、
ｍａｘＭＣＳ−ＰＳＳＣＨ−ｒ１５＝ｃｅｉｌ（Ｋ＊ｍａｘＭＣＳ−ＰＳＳＣＨ−ｒ１４）であり、ここで、ｃｅｉｌ（）が切り上げを表し、
端末装置はｍｉｎＭＣＳ−ＰＳＳＣＨ−ｒ１５とｍａｘＭＣＳ−ＰＳＳＣＨ−ｒ１５に基づいてＭＣＳ範囲を確定する。
【００９８】
選択可能に、該第一の伝送パラメータと該第二の伝送パラメータはＭＣＳ範囲であり、該端末装置が割合係数Ｍ、Ｎを取得しており、Ｍが０より大きい実数であり、Ｎが０より大きい実数であり、
該端末装置は該割合係数Ｍを用い、該第二の伝送パラメータの最小ＭＣＳインデックスに対して処理し、該第一の伝送パラメータの最小ＭＣＳインデックスを取得し、該割合係数Ｎを用い、該第二の伝送パラメータの最大ＭＣＳインデックスに対して処理し、該第一の伝送パラメータの最大ＭＣＳインデックスを取得し、
該ネットワーク装置は該第一の伝送パラメータの最小ＭＣＳインデックスと最大ＭＣＳインデックスに基づき、該第一の伝送パラメータを確定する。
【００９９】
例えば、ｍｉｎＭＣＳ−ＰＳＳＣＨ−ｒ１５＝ｃｅｉｌ（Ｍ＊ｍｉｎＭＣＳ−ＰＳＳＣＨ−ｒ１４）、
ｍａｘＭＣＳ−ＰＳＳＣＨ−ｒ１５＝ｃｅｉｌ（Ｎ＊ｍａｘＭＣＳ−ＰＳＳＣＨ−ｒ１４）であり、ここで、ｃｅｉｌ（）が切り上げを表し、
端末装置はｍｉｎＭＣＳ−ＰＳＳＣＨ−ｒ１５とｍａｘＭＣＳ−ＰＳＳＣＨ−ｒ１５に基づいてＭＣＳ範囲を確定する。
【０１００】
理解すべきものとして、割合係数Ｍ、Ｎが異なる値である。
【０１０１】
選択可能に、上述したｃｅｉｌ（）切り上げによってｍｉｎＭＣＳ−ＰＳＳＣＨ−ｒ１５とｍａｘＭＣＳ−ＰＳＳＣＨ−ｒ１５を確定することは、本出願の実施例の一つの実施形態だけであり、本出願の実施例ではｆｌｏｏｒ（）切り捨てによってｍｉｎＭＣＳ−ＰＳＳＣＨ−ｒ１５とｍａｘＭＣＳ−ＰＳＳＣＨ−ｒ１５を確定することもでき、ｒｏｕｎｄ（）が四捨五入を表し、又はｍｉｎＭＣＳ−ＰＳＳＣＨ−ｒ１５とｍａｘＭＣＳ−ＰＳＳＣＨ−ｒ１５を確定する操作が異なってもよい。
【０１０２】
選択可能に、該第一の伝送パラメータの最小ＰＲＢ数がバージョン１５の物理サイドリンク共有チャネルの最小ＰＲＢ数（ｍｉｎＲＢ−ＮｕｍｂｅｒＰＳＳＣＨ−ｒ１５：Ｍｉｎｉｍｕｍ  Ｐｈｙｓｉｃａｌ  Ｒｅｓｏｕｒｃｅ  Ｂｌｏｃｋ−Ｎｕｍｂｅｒ  Ｐｈｙｓｉｃａｌ  Ｓｉｄｅｌｉｎｋ  Ｓｈａｒｅｄ  Ｃｈａｎｎｅｌ−Ｒｅｌｅａｓｅ１５）で表されてもよく、該第一の伝送パラメータの最大ＰＲＢ数がｍａｘＲＢ−ＮｕｍｂｅｒＰＳＳＣＨ−ｒ１５で表されてもよく、該第二の伝送パラメータの最小ＰＲＢ数がｍｉｎＲＢ−ＮｕｍｂｅｒＰＳＳＣＨ−ｒ１４で表されてもよく、該第二の伝送パラメータの最大ＰＲＢ数がｍａｘＲＢ−ＮｕｍｂｅｒＰＳＳＣＨ−ｒ１４で表されてもよい。
【０１０３】
選択可能に、前記第一の伝送パラメータと前記第二の伝送パラメータはＰＲＢ範囲であり、前記端末装置が割合係数Ｑを取得しており、Ｑが０より大きい実数であり、
前記端末装置が前記割合係数Ｑを用い、前記第二の伝送パラメータの最小ＰＲＢ数に対して処理し、前記第一の伝送パラメータの最小ＰＲＢ数を取得し、前記割合係数Ｑを用い、前記第二の伝送パラメータの最大ＰＲＢ数に対して処理し、前記第一の伝送パラメータの最大ＰＲＢ数を取得し、
前記端末装置が前記第一の伝送パラメータの最小ＰＲＢ数と最大ＰＲＢ数に基づき、前記第一の伝送パラメータを確定する。
【０１０４】
例えば、ｍｉｎＲＢ−ＮｕｍｂｅｒＰＳＳＣＨ−ｒ１５＝ｃｅｉｌ（Ｑ＊ｍｉｎＲＢ−ＮｕｍｂｅｒＰＳＳＣＨ−ｒ１４）、
ｍａｘＲＢ−ＮｕｍｂｅｒＰＳＳＣＨ−ｒ１５＝ｃｅｉｌ（Ｑ＊ｍａｘＲＢ−ＮｕｍｂｅｒＰＳＳＣＨ−ｒ１４）であり、ここで、ｃｅｉｌ（）が切り上げを表し、
端末装置はｍｉｎＲＢ−ＮｕｍｂｅｒＰＳＳＣＨ−ｒ１５とｍａｘＲＢ−ＮｕｍｂｅｒＰＳＳＣＨ−ｒ１５に基づいてＰＲＢ数範囲を確定する。
【０１０５】
選択可能に、前記第一の伝送パラメータと前記第二の伝送パラメータはＰＲＢ範囲であり、前記端末装置が割合係数Ｘ、Ｙを取得しており、Ｘが０より大きい実数であり、Ｙが０より大きい実数であり、
前記端末装置が前記割合係数Ｘを用い、前記第二の伝送パラメータの最小ＰＲＢ数に対して処理し、前記第一の伝送パラメータの最小ＰＲＢ数を取得し、前記割合係数Ｙを用い、前記第二の伝送パラメータの最大ＰＲＢ数に対して処理し、前記第一の伝送パラメータの最大ＰＲＢ数を取得し、
前記端末装置は前記第一の伝送パラメータの最小ＰＲＢ数と最大ＰＲＢ数に基づき、前記第一の伝送パラメータを確定する。
【０１０６】
例えば、ｍｉｎＲＢ−ＮｕｍｂｅｒＰＳＳＣＨ−ｒ１５＝ｃｅｉｌ（Ｘ＊ｍｉｎＲＢ−ＮｕｍｂｅｒＰＳＳＣＨ−ｒ１４）、
ｍａｘＲＢ−ＮｕｍｂｅｒＰＳＳＣＨ−ｒ１５＝ｃｅｉｌ（Ｙ＊ｍａｘＲＢ−ＮｕｍｂｅｒＰＳＳＣＨ−ｒ１４）であり、ここで、ｃｅｉｌ（）が切り上げを表し、
端末装置はｍｉｎＲＢ−ＮｕｍｂｅｒＰＳＳＣＨ−ｒ１５とｍａｘＲＢ−ＮｕｍｂｅｒＰＳＳＣＨ−ｒ１５に基づいてＰＲＢ数範囲を確定する。
【０１０７】
理解すべきものとして、割合係数Ｘ、Ｙが異なる値である。
【０１０８】
選択可能に、上述したｃｅｉｌ（）切り上げによってｍｉｎＲＢ−ＮｕｍｂｅｒＰＳＳＣＨ−ｒ１５とｍａｘＲＢ−ＮｕｍｂｅｒＰＳＳＣＨ−ｒ１５５を確定することは、本出願の実施例の一つの実施形態だけであり、本出願の実施例ではｆｌｏｏｒ（）切り捨てによってｍｉｎＲＢ−ＮｕｍｂｅｒＰＳＳＣＨ−ｒ１５とｍａｘＲＢ−ＮｕｍｂｅｒＰＳＳＣＨ−ｒ１５を確定することもでき、ｒｏｕｎｄ（）が四捨五入を表し、又はｍｉｎＲＢ−ＮｕｍｂｅｒＰＳＳＣＨ−ｒ１５とｍａｘＲＢ−ＮｕｍｂｅｒＰＳＳＣＨ−ｒ１５を確定する操作が異なってもよい。
【０１０９】
選択可能に、該第一の伝送パラメータの最小サブバンド数がバージョン１５の物理サイドリンク共有チャネルの最小サブバンド数（ｍｉｎＳＢ−ＮｕｍｂｅｒＰＳＳＣＨ−ｒ１５：Ｍｉｎｉｍｕｍ  Ｓｕｂ  Ｂａｎｄ−Ｎｕｍｂｅｒ  Ｐｈｙｓｉｃａｌ  Ｓｉｄｅｌｉｎｋ  Ｓｈａｒｅｄ  Ｃｈａｎｎｅｌ−Ｒｅｌｅａｓｅ１５）で表されてもよく、該第一の伝送パラメータの最大サブバンド数がｍａｘＳＢ−ＮｕｍｂｅｒＰＳＳＣＨ−ｒ１５で表されてもよく、該第二の伝送パラメータの最小サブバンド数がｍｉｎＳＢ−ＮｕｍｂｅｒＰＳＳＣＨ−ｒ１４で表されてもよく、該第二の伝送パラメータの最大サブバンド数がｍａｘＳＢ−ＮｕｍｂｅｒＰＳＳＣＨ−ｒ１４で表されてもよい。
【０１１０】
選択可能に、該第一の伝送パラメータと該第二の伝送パラメータはサブバンド数範囲であり、該端末装置は割合係数Ｒを取得し、Ｒが０より大きい実数であり、
該端末装置は、該割合係数Ｒを用い、該第二の伝送パラメータの最小サブバンド数に対して処理し、該第一の伝送パラメータの最小サブバンド数を取得し、該割合係数Ｒを用い、該第二の伝送パラメータの最大サブバンド数に対して処理し、該第一の伝送パラメータの最大サブバンド数を取得し、
該端末装置は該第一の伝送パラメータの最小サブバンド数と最大サブバンド数に基づき、該第一の伝送パラメータを確定する。
【０１１１】
例えば、ｍｉｎＳＢ−ＮｕｍｂｅｒＰＳＳＣＨ−ｒ１５＝ｃｅｉｌ（Ｒ＊ｍｉｎＳＢ−ＮｕｍｂｅｒＰＳＳＣＨ−ｒ１４）、
ｍａｘＳＢ−ＮｕｍｂｅｒＰＳＳＣＨ−ｒ１５＝ｃｅｉｌ（Ｒ＊ｍａｘＳＢ−ＮｕｍｂｅｒＰＳＳＣＨ−ｒ１４）であり、ここで、ｃｅｉｌ（）が切り上げを表し、
端末装置はｍｉｎＳＢ−ＮｕｍｂｅｒＰＳＳＣＨ−ｒ１５とｍａｘＳＢ−ＮｕｍｂｅｒＰＳＳＣＨ−ｒ１５に基づいてサブバンド数範囲を確定する。
【０１１２】
選択可能に、該第一の伝送パラメータと該第二の伝送パラメータはサブバンド数範囲であり、該端末装置は割合係数Ｖ、Ｗを取得し、Ｖが０より大きい実数であり、Ｗが０より大きい実数であり、
該端末装置は、該割合係数Ｖを用い、該第二の伝送パラメータの最小サブバンド数に対して処理し、該第一の伝送パラメータの最小サブバンド数を取得し、該割合係数Ｗを用い、該第二の伝送パラメータの最大サブバンド数に対して処理し、該第一の伝送パラメータの最大サブバンド数を取得し、
該端末装置は該第一の伝送パラメータの最小サブバンド数と最大サブバンド数に基づき、該第一の伝送パラメータを確定する。
【０１１３】
例えば、ｍｉｎＳＢ−ＮｕｍｂｅｒＰＳＳＣＨ−ｒ１５＝ｃｅｉｌ（Ｖ＊ｍｉｎＳＢ−ＮｕｍｂｅｒＰＳＳＣＨ−ｒ１４）、
ｍａｘＳＢ−ＮｕｍｂｅｒＰＳＳＣＨ−ｒ１５＝ｃｅｉｌ（Ｗ＊ｍａｘＳＢ−ＮｕｍｂｅｒＰＳＳＣＨ−ｒ１４）であり、ここで、ｃｅｉｌ（）が切り上げを表し、
端末装置はｍｉｎＳＢ−ＮｕｍｂｅｒＰＳＳＣＨ−ｒ１５とｍａｘＳＢ−ＮｕｍｂｅｒＰＳＳＣＨ−ｒ１５に基づいてサブバンド数範囲を確定する。
【０１１４】
理解すべきものとして、割合係数Ｖ、Ｗが異なる値である。
【０１１５】
選択可能に、上述したｃｅｉｌ（）切り上げによってｍｉｎＳＢ−ＮｕｍｂｅｒＰＳＳＣＨ−ｒ１５とｍａｘＳＢ−ＮｕｍｂｅｒＰＳＳＣＨ−ｒ１５を確定することは、本出願の実施例の一つの実施形態だけであり、本出願の実施例ではｆｌｏｏｒ（）切り捨てによってｍｉｎＳＢ−ＮｕｍｂｅｒＰＳＳＣＨ−ｒ１５とｍａｘＳＢ−ＮｕｍｂｅｒＰＳＳＣＨ−ｒ１５を確定することもでき、ｒｏｕｎｄ（）が四捨五入を表し、又はｍｉｎＳＢ−ＮｕｍｂｅｒＰＳＳＣＨ−ｒ１５とｍａｘＳＢ−ＮｕｍｂｅｒＰＳＳＣＨ−ｒ１５を確定する操作が異なってもよい。
【０１１６】
２２０において、該端末装置は、該第一の伝送パラメータを用いて該伝送待ちサービスを送信する。
【０１１７】
選択可能に、該方法２００はＤ２Ｄ通信システムに応用される。
【０１１８】
例えば、図１又は図２に端末装置２０と端末装置３０の通信が示される。
【０１１９】
したがって、本出願の実施例による伝送パラメータ確定方法では、端末装置はＣＢＲと伝送待ちサービスの優先度に基づき、伝送待ちサービスを送信するための第一の伝送パラメータを確定し、これにより、端末装置はＲｅｌ  １５伝送ニーズを満たす伝送パラメータを確定することができる。
【０１２０】
さらに、端末装置は少なくとも一つの割合係数を用い、ＣＢＲと伝送待ちサービスの優先度に基づいて確定された第二の伝送パラメータに対して処理し、伝送待ちサービスを送信するための第一の伝送パラメータを取得することができ、これにより、端末装置は既存の伝送待ちパラメータに基づいてＲｅｌ  １５に対する伝送パラメータを確定することができ、さらに端末装置の伝送ニーズを満たす。
【０１２１】
図４は本出願の実施例による伝送パラメータ確定方法３００を示す概略フローチャートである。図４に示すように、該方法３００はネットワーク装置によって実行されてもよく、該ネットワーク装置が図１に示すネットワーク装置であってもよく、該方法３００における端末装置が図１又は図２に示す端末装置であってもよく、該方法３００は以下の内容を含む。
【０１２２】
３１０において、ネットワーク装置は、端末装置に第一の伝送パラメータに対する少なくとも一つの割合係数を配置し、これにより、該端末装置が該少なくとも一つの割合係数を用いて第二の伝送パラメータに対して処理し、該第一の伝送パラメータを取得するようにする。
【０１２３】
ここで、該第一の伝送パラメータは該端末装置が伝送待ちサービスを送信するためのパラメータであり、該第二の伝送パラメータは、チャネルビジー率（ＣＢＲ）と該伝送待ちサービスの優先度に基づいて確定される。
【０１２４】
選択可能に、該方法３００はさらに、
該ネットワーク装置が該端末装置にＣＢＲ、サービスの優先度と第二の伝送パラメータとのマッピング関係を配置し、これにより、該端末装置が該ＣＢＲ、該伝送待ちサービスの優先度と該マッピング関係に基づいて該第二の伝送係数を確定するようにすることを含む。
【０１２５】
選択可能に、該ネットワーク装置は該端末装置にＣＢＲ、サービスの優先度と第二の伝送パラメータとのマッピング関係を配置することは、
該ネットワーク装置が無線リソース制御（ＲＲＣ）シグナリングにより該端末装置に該マッピング関係を配置することを含む。
【０１２６】
選択可能に、該第一の伝送パラメータは、変調及び符号化スキーム（ＭＣＳ）範囲及び／又は物理リソースブロック（ＰＲＢ）数範囲であり、該第二の伝送パラメータは、ＭＣＳ範囲及び／又はＰＲＢ数範囲である。
【０１２７】
選択可能に、該ネットワーク装置が、端末装置に第一の伝送パラメータに対する少なくとも一つの割合係数を配置することは、
該ネットワーク装置がＲＲＣシグナリングにより該端末装置に該少なくとも一つの割合係数を配置することを含む。
【０１２８】
選択可能に、該方法３００はデバイスツデバイス（Ｄ２Ｄ）システムに応用される。
【０１２９】
理解すべきものとして、伝送パラメータ確定方法３００のステップについて伝送パラメータ確定方法２００の対応するステップの説明を参照でき、簡潔にするために、ここで説明を省略する。
【０１３０】
したがって、本出願の実施例による伝送パラメータ確定方法では、端末装置はＣＢＲと伝送待ちサービスの優先度に基づき、伝送待ちサービスを送信するための第一の伝送パラメータを確定し、これにより、端末装置はＲｅｌ  １５伝送ニーズを満たす伝送パラメータを確定することができる。
【０１３１】
さらに、端末装置は少なくとも一つの割合係数を用い、ＣＢＲと伝送待ちサービスの優先度に基づいて確定された第二の伝送パラメータに対して処理し、伝送待ちサービスを送信するための第一の伝送パラメータを取得することができ、これにより、端末装置は既存の伝送待ちパラメータに基づいてＲｅｌ  １５に対する伝送パラメータを確定することができ、さらに端末装置の伝送ニーズを満たす。
【０１３２】
図５は本出願の実施例による伝送パラメータ確定方法４００を示す概略フローチャートである。図５に示すように、該方法４００はネットワーク装置によって実行されてもよく、該ネットワーク装置が図１に示すネットワーク装置であってもよく、該方法３００における端末装置が図１又は図２に示す端末装置であってもよく、該方法４００は以下の内容を含む。
【０１３３】
４１０において、ネットワーク装置は、第一の端末装置に第一のマッピング関係を配置し、該第一のマッピング関係がＣＢＲ、サービス優先度と第一の伝送パラメータとの対応関係を示すことに用いられる。
【０１３４】
４２０において、該ネットワーク装置は第二の端末装置に第二のマッピング関係を配置し、該第二のマッピング関係が、ＣＢＲ、サービス優先度と第二の伝送パラメータとの対応関係を示すことに用いられ、
ここで、該第一の伝送パラメータが第一のＭＣＳインデックスを含み、該第二の伝送パラメータが第二のＭＣＳインデックスを含む。
【０１３５】
選択可能に、該第一のＭＣＳインデックスが第一のＭＣＳテーブルに基づいて取得され、該第二のＭＣＳインデックスが第二のＭＣＳテーブルに基づいて取得され、ここで、該第一のＭＣＳテーブルと該第二のＭＣＳテーブルが異なる。
【０１３６】
選択可能に、ネットワーク装置はＲＲＣシグナリングによって第一の端末装置に該第一のマッピング関係を配置し、第二の端末装置に該第二のマッピング関係を配置することができる。
【０１３７】
選択可能に、該第一の端末装置がＲｅｌ−１５通信プロトコルをサポートし、該第二の端末装置がＲｅｌ−１４通信プロトコルをサポートする。
【０１３８】
選択可能に、該方法はＤ２Ｄシステムに応用される。
【０１３９】
例えば、該第一の端末装置は確定された伝送パラメータに基づいてＤ２Ｄ通信を行うことができる。
【０１４０】
選択可能に、該第一のＭＣＳテーブルがＲｅｌ−１５通信プロトコルにおけるＭＣＳテーブルであってもよいし、該第二のＭＣＳテーブルがＲｅｌ−１４通信プロトコルにおけるＭＣＳテーブルであってもよい。
【０１４１】
例えば、次のテーブル１に示すＭＣＳテーブルがＲｅｌ−１４通信プロトコルにおけるＭＣＳテーブルであり、該ＭＣＳテーブルにおけるＭＣＳインデックスがそれぞれ変調次数、伝送ブロックサイズ（ＴＢＳ：Ｔｒａｎｓｐｏｒｔ  Ｂｌｏｃｋ  Ｓｉｚｅ）インデックス、冗長バージョン（ＲＶ：Ｒｅｄｕｎｄａｎｃｙ  Ｖｅｒｓｉｏｎ）に対応する。
【０１４２】
選択可能に、該第一のＭＣＳテーブルにおけるＭＣＳインデックス値に対応する伝送パラメータと該第二のＭＣＳテーブルにおけるＭＣＳインデックス値に対応する伝送パラメータが部分的に又は全て異なる。
【０１４３】
【表１】
2021503192.tif 000003
【０１４４】
理解すべきものとして、上記テーブル１が例だけであり、該第一のＭＣＳテーブルにおけるＭＣＳインデックスはさらに物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）における伝送パラメータに対応することができ、該第一のＭＣＳテーブルにおけるＭＣＳインデックス値はさらに変調次数、ＴＢＳインデックス、ＲＶ以外の他のパラメータに対応することができ、本出願の実施例はこれに限定されない。
【０１４５】
理解すべきものとして、伝送パラメータ確定方法４００のステップについて伝送パラメータ確定方法２００の対応するステップの説明を参照でき、簡潔にするために、ここで説明を省略する。
【０１４６】
したがって、本出願の実施例による伝送パラメータ確定方法では、ネットワーク装置は第一の端末装置に第一のマッピング関係を配置し、これにより、第一の端末装置は該第一のマッピング関係に基づいて第一のＭＣＳインデックスを含む第一の伝送パラメータを確定することができ、同時に、ネットワーク装置は第二の端末装置に第二のマッピング関係を配置し、これにより、第二の端末装置は第二のマッピング関係に基づいて第二のＭＣＳインデックスを含む第二の伝送パラメータを確定することができる。
【０１４７】
図６は本出願の実施例による伝送パラメータ確定方法５００を示す概略フローチャートである。図６に示すように、該方法５００は端末装置によって実行されてもよく、該端末装置が図１又は図２に示す端末装置であってもよく、該方法５００におけるネットワーク装置が図１に示すネットワーク装置であってもよく、該方法５００は以下の内容を含む。
【０１４８】
５１０において、第一の端末装置は、チャネルビジー率（ＣＢＲ）、伝送待ちサービスの優先度と第一のマッピング関係に基づき、該第一の端末装置の伝送パラメータを確定し、該第一のマッピング関係が、ＣＢＲ、サービス優先度と第一の端末装置の伝送パラメータとの対応関係を示すことに用いられ、
ここで、該第一の端末装置の伝送パラメータが変調及び符号化スキーム（ＭＣＳ）インデックスを含み、該第一の端末装置のＭＣＳインデックスに対応するＭＣＳテーブルが、第二の端末装置のＭＣＳインデックスに対応するＭＣＳテーブルと異なり、該第二の端末装置が該第一の端末装置と異なるバージョンの通信プロトコルをサポートする端末装置である。
【０１４９】
選択可能に、該方法５００はさらに、
該第一の端末装置がネットワーク装置から該第一のマッピング関係を受信することを含む。
【０１５０】
選択可能に、該第一のマッピング関係は、該第一の端末装置に予め配置される。
【０１５１】
選択可能に、該第一の端末装置がＲｅｌ−１５通信プロトコルをサポートし、該第二の端末装置がＲｅｌ−１４通信プロトコルをサポートする。
【０１５２】
選択可能に、該第一の端末装置のＭＣＳインデックスに対応するＭＣＳテーブルがＲｅｌ−１５通信プロトコルをサポートするＭＣＳテーブルであり、該第二の端末装置のＭＣＳインデックスに対応するＭＣＳテーブルがＲｅｌ−１４通信プロトコルをサポートするＭＣＳテーブルである。
【０１５３】
選択可能に、該方法はデバイスツデバイス（Ｄ２Ｄ）システムに応用される。
【０１５４】
理解すべきものとして、伝送パラメータ確定方法５００のステップについて伝送パラメータ確定方法２００と伝送パラメータ確定方法４００の対応するステップの説明を参照でき、簡潔にするために、ここで説明を省略する。
【０１５５】
したがって、本出願の実施例による伝送パラメータ確定方法では、第一の端末装置はＣＢＲ、伝送待ちサービスの優先度と第一のマッピング関係に基づき、第一の端末装置の伝送パラメータを確定し、同時に、第一の端末装置のＭＣＳインデックスに対応するＭＣＳテーブルと第二の端末装置のＭＣＳテーブルに対応するＭＣＳテーブルが異なるため、第一の端末装置はそれにサポートされる通信プロトコルにおけるＭＣＳテーブルに基づき、そのＭＣＳインデックスを確定することができる。
【０１５６】
図７は本出願の実施例による端末装置６００の概略ブロック図である。図７に示すように、該端末装置６００は、処理ユニット６１０と送信ユニット６２０を備える。
【０１５７】
処理ユニット６１０は、チャネルビジー率（ＣＢＲ）と伝送待ちサービスの優先度に基づいて第一の伝送パラメータを確定するように構成される。
【０１５８】
送信ユニット６２０は、該第一の伝送パラメータを用いて該伝送待ちサービスを送信するように構成される。
【０１５９】
選択可能に、該処理ユニット６１０はさらに少なくとも一つの割合係数を取得するように構成され、ここで、該少なくとも一つの割合係数がネットワーク装置によって配置され又は該端末装置に予め配置され、
該処理ユニット６１０はさらに該ＣＢＲと該伝送待ちサービスの優先度に基づいて第二の伝送パラメータを確定するように構成され、
該処理ユニット６１０はさらに該少なくとも一つの割合係数を用いて該第二の伝送パラメータに対して処理し、該第一の伝送パラメータを取得するように構成される。
【０１６０】
選択可能に、該処理ユニット６１０はさらに第一のマッピング関係を取得するように構成され、該第一のマッピング関係がＣＢＲ、サービスの優先度と第二の伝送パラメータとのマッピング関係を表す。
【０１６１】
該処理ユニット６１０はさらに該ＣＢＲ、該伝送待ちサービスの優先度と該マッピング関係に基づいて該第二の伝送パラメータを確定するように構成され、
ここで、該第一のマッピング関係が該端末装置に予め配置され、又はネットワーク装置によって配置される。
【０１６２】
選択可能に、該第一の伝送パラメータは、変調及び符号化スキーム（ＭＣＳ）範囲及び／又は物理リソースブロック（ＰＲＢ）数範囲であり、該第二の伝送パラメータは、ＭＣＳ範囲及び／又はＰＲＢ数範囲である。
【０１６３】
選択可能に、該第一の伝送パラメータと該第二の伝送パラメータはＭＣＳ範囲であり、該端末装置が割合係数Ｋを取得しており、Ｋが０より大きい実数であり、
該処理ユニット６１０はさらに該割合係数Ｋを用い、該第二の伝送パラメータの最小ＭＣＳインデックスに対して処理し、該第一の伝送パラメータの最小ＭＣＳインデックスを取得し、該割合係数Ｋを用い、該第二の伝送パラメータの最大ＭＣＳインデックスに対して処理し、該第一の伝送パラメータの最大ＭＣＳインデックスを取得するように構成され、
該処理ユニット６１０はさらに該第一の伝送パラメータの最小ＭＣＳインデックスと最大ＭＣＳインデックスに基づき、該第一の伝送パラメータを確定するように構成される。
【０１６４】
選択可能に、該第一の伝送パラメータと該第二の伝送パラメータはＭＣＳ範囲であり、該端末装置が割合係数Ｍ、Ｎを取得しており、Ｍが０より大きい実数であり、Ｎが０より大きい実数であり、
該処理ユニット６１０はさらに該割合係数Ｍを用い、該第二の伝送パラメータの最小ＭＣＳインデックスに対して処理し、該第一の伝送パラメータの最小ＭＣＳインデックスを取得し、該割合係数Ｎを用い、該第二の伝送パラメータの最大ＭＣＳインデックスに対して処理し、該第一の伝送パラメータの最大ＭＣＳインデックスを取得するように構成され、
該処理ユニット６１０はさらに該第一の伝送パラメータの最小ＭＣＳインデックスと最大ＭＣＳインデックスに基づき、該第一の伝送パラメータを確定するように構成される。
【０１６５】
選択可能に、該第一の伝送パラメータと該第二の伝送パラメータはＰＲＢ数範囲であり、該端末装置が割合係数Ｑを取得しており、Ｑが０より大きい実数であり、
該処理ユニット６１０はさらに該割合係数Ｑを用い、該第二の伝送パラメータの最小ＰＲＢ数に対して処理し、該第一の伝送パラメータの最小ＰＲＢ数を取得し、該割合係数Ｑを用い、該第二の伝送パラメータの最大ＰＲＢ数に対して処理し、該第一の伝送パラメータの最大ＰＲＢ数を取得するように構成され、
該処理ユニット６１０はさらに該第一の伝送パラメータの最小ＰＲＢ数と最大ＰＲＢ数に基づき、該第一の伝送パラメータを確定するように構成される。
【０１６６】
選択可能に、該第一の伝送パラメータと該第二の伝送パラメータはＰＲＢ数範囲であり、該端末装置が割合係数Ｘ、Ｙを取得しており、Ｘが０より大きい実数であり、Ｙが０より大きい実数であり、
該処理ユニット６１０はさらに該割合係数Ｘを用い、該第二の伝送パラメータの最小ＰＲＢ数に対して処理し、該第一の伝送パラメータの最小ＰＲＢ数を取得し、該割合係数Ｙを用い、該第二の伝送パラメータの最大ＰＲＢ数に対して処理し、該第一の伝送パラメータの最大ＰＲＢ数を取得するように構成され、
該処理ユニット６１０はさらに該第一の伝送パラメータの最小ＰＲＢ数と最大ＰＲＢ数に基づき、該第一の伝送パラメータを確定するように構成される。
【０１６７】
選択可能に、該端末装置６００はデバイスツデバイス（Ｄ２Ｄ）システムに応用される。
【０１６８】
理解すべきものとして、本出願の実施例による端末装置６００における各モジュールの上記と他の操作及び／又は機能はそれぞれ図３の方法２００における端末装置の対応するプロセスを実現するためのものであり、簡潔するために、ここでは説明を省略する。
【０１６９】
図８本出願の実施例によるネットワーク装置７００の概略ブロック図である。図８に示すように、該ネットワーク装置７００は、処理ユニット７１０を備える。
【０１７０】
処理ユニット７１０は、端末装置に第一の伝送パラメータに対する少なくとも一つの割合係数を配置し、これにより、該端末装置が該少なくとも一つの割合係数を用いて第二の伝送パラメータに対して処理し、該第一の伝送パラメータを取得するように構成される。
【０１７１】
ここで、該第一の伝送パラメータは該端末装置が伝送待ちサービスを送信するためのパラメータであり、該第二の伝送パラメータは、チャネルビジー率（ＣＢＲ）と該伝送待ちサービスの優先度に基づいて確定される。
【０１７２】
選択可能に、該処理ユニット７１０はさらに該端末装置にＣＢＲ、サービスの優先度と第二の伝送パラメータとのマッピング関係を配置するように構成され、これにより、該端末装置が該ＣＢＲ、該伝送待ちサービスの優先度と該マッピング関係に基づいて該第二の伝送係数を確定するようにする。
【０１７３】
選択可能に、該処理ユニット７１０はさらに無線リソース制御（ＲＲＣ）シグナリングにより該端末装置に該マッピング関係を配置するように構成される。
【０１７４】
選択可能に、該第一の伝送パラメータは、変調及び符号化スキーム（ＭＣＳ）範囲及び／又は物理リソースブロック（ＰＲＢ）数範囲であり、該第二の伝送パラメータは、ＭＣＳ範囲及び／又はＰＲＢ数範囲である。
【０１７５】
選択可能に、該処理ユニット７１０はさらにＲＲＣシグナリングにより該端末装置に該少なくとも一つの割合係数を配置するように構成される。
【０１７６】
選択可能に、該端末装置はデバイスツデバイス（Ｄ２Ｄ）システムに応用される。
【０１７７】
理解すべきものとして、本出願の実施例によるネットワーク装置７００における各モジュールの上記と他の操作及び／又は機能はそれぞれ図４の方法３００におけるネットワーク装置の対応するプロセスを実現するためのものであり、簡潔するために、ここでは説明を省略する。
【０１７８】
図９本出願の実施例によるネットワーク装置８００の概略ブロック図である。図９に示すように、該ネットワーク装置８００は、処理ユニット８１０を備える。
【０１７９】
処理ユニット８１０は、第一の端末装置に第一のマッピング関係を配置するように構成され、該第一のマッピング関係が、チャネルビジー率（ＣＢＲ）、サービス優先度と第一の伝送パラメータとの対応関係を示すことに用いられる。
【０１８０】
該処理ユニット８１０はさらに第二の端末装置に第二のマッピング関係を配置するように構成され、該第二のマッピング関係が、ＣＢＲ、サービス優先度と第二の伝送パラメータとの対応関係を示すことに用いられ、
ここで、該第一の伝送パラメータが第一の変調及び符号化スキーム（ＭＣＳ）インデックスを含み、該第二の伝送パラメータが第二のＭＣＳインデックスを含む。
【０１８１】
選択可能に、該第一のＭＣＳインデックスが第一のＭＣＳテーブルに基づいて取得され、該第二のＭＣＳインデックスが第二のＭＣＳテーブルに基づいて取得され、ここで、該第一のＭＣＳテーブルと該第二のＭＣＳテーブルが異なる。
【０１８２】
選択可能に、該第一の端末装置がＲｅｌ−１５通信プロトコルをサポートし、該第二の端末装置がＲｅｌ−１４通信プロトコルをサポートする。
【０１８３】
選択可能に、該第一の端末装置と該第二の端末装置はデバイスツデバイス（Ｄ２Ｄ）システムに応用される。
【０１８４】
理解すべきものとして、本出願の実施例によるネットワーク装置８００における各モジュールの上記と他の操作及び／又は機能はそれぞれ図５の方法４００におけるネットワーク装置の対応するプロセスを実現するためのものであり、簡潔するために、ここでは説明を省略する。
【０１８５】
図１０は本出願の実施例による端末装置９００の概略ブロック図である。図１０に示すように、該端末装置９００は、処理ユニット９１０を備える。
【０１８６】
処理ユニット９１０は、チャネルビジー率（ＣＢＲ）と第一のマッピング関係に基づき、該端末装置の伝送パラメータを確定するように構成され、該第一のマッピング関係がＣＢＲ、サービス優先度と該端末装置の伝送パラメータとの対応関係を示すことに用いられる。
【０１８７】
ここで、該端末装置の伝送パラメータが変調及び符号化スキーム（ＭＣＳ）インデックスを含み、該端末装置のＭＣＳインデックスに対応するＭＣＳテーブルが端末装置のＭＣＳインデックスに対応するＭＣＳテーブルと異なり、該端末装置が該端末装置と異なるバージョンの通信プロトコルをサポートする端末装置である。
【０１８８】
該端末装置９００はさらに、
ネットワーク装置から該第一のマッピング関係を受信するように構成される受信ユニット９２０を備える。
【０１８９】
選択可能に、該第一のマッピング関係は、該端末装置９００に予め配置される。
【０１９０】
選択可能に、該端末装置がＲｅｌ−１５通信プロトコルをサポートし、該他の端末装置９００がＲｅｌ−１４通信プロトコルをサポートする。
【０１９１】
選択可能に、該端末装置９００はデバイスツデバイス（Ｄ２Ｄ）システムに応用される。
【０１９２】
理解すべきものとして、本出願の実施例による端末装置９００における各モジュールの上記と他の操作及び／又は機能はそれぞれ図６の方法５００における端末装置の対応するプロセスを実現するためのものであり、簡潔するために、ここでは説明を省略する。
【０１９３】
図１１は本出願の実施例による伝送パラメータ確定装置１０００を示す概略ブロック図である。該装置１０００はメモリ１０１０、送受信機１０２０、プロセッサ１０３０を備える。
【０１９４】
メモリ１０１０は、コードを含むプログラムを記憶するように構成される。
【０１９５】
送受信機１０２０は他の装置と通信するように構成される。
【０１９６】
プロセッサ１０３０は、メモリ１０１０でのプログラムコードを実行するように構成される。
【０１９７】
選択可能に、該コードが実行される場合、該プロセッサ１０３０はさらに図３の方法２００又は図６の方法５００における端末装置によって実行される各操作を実現することができ、簡潔にするために、ここで説明を省略する。この場合、該端末装置１０００は端末装置、例えば車載端末であってもよい。
【０１９８】
選択可能に、該コードが実行される場合、該プロセッサ１０３０はさらに図４の方法３００又は図５の方法４００におけるネットワーク装置によって実行される各操作を実現することができ、簡潔にするために、ここで説明を省略する。この場合、該装置１０００はネットワーク装置、例えば基地局であってもよい。
【０１９９】
理解すべきものとして、本出願の実施例では、該プロセッサ１０３０は中央処理ユニット（ＣＰＵ：Ｃｅｎｔｒａｌ  Ｐｒｏｃｅｓｓｉｎｇ  Ｕｎｉｔ）であってもよく、該プロセッサ１０３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２００】
該メモリ１０１０は読み取り専用メモリとランダムアクセスメモリを含み、プロセッサ１０３０へ命令とデータを提供することができる。メモリ１０１０の一部はさらに不揮発性ランダムアクセスメモリを含むことができる。例えば、メモリ１０１０はさらに装置タイプの情報を記憶することができる。
【０２０１】
送受信機１０２０は信号送信及び受信機能、例えば変調及び復調機能又はアップコンバート及びダウンコンバート機能を実現することに用いられてもよい。
【０２０２】
実施プロセスでは、上記方法の少なくとも一つのステップは、プロセッサ１０３０内のハードウェアの集積論理回路によって完了されてもよく、又は該集積論理回路はソフトウェアの形の命令によって駆動されて該少なくとも一つのステップを完了することができる。したがって、伝送パラメータ確定装置１０００はチップ又はチップ群であってもよい。本出願の実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサ１０３０はメモリにおける情報を読み取り、そのハードウェアと組み合わせて上記方法のステップを完了する。繰り返しを回避するために、ここで詳細な説明を省略する。
【０２０３】
図１２は本出願の実施例によるシステムチップ１１００を示す概略構造図である。図１２のシステムチップ１１００は入力インタフェース１１０１、出力インタフェース１１０２、プロセッサ１１０３とメモリ１１０４を備え、入力インタフェース１１０１、出力インタフェース１１０２、前記プロセッサ１１０３及びメモリ１１０４が内部通信接続回線を介して接続されてもよく、該プロセッサ１１０３が該メモリ１１０４でのコードを実行するように構成される。
【０２０４】
選択可能に、該コードが実行される場合、該プロセッサ１１０３は方法の実施例における端末装置によって実行される方法を実現する。簡潔にするために、ここでは説明を省略する。
【０２０５】
選択可能に、該コードが実行される場合、該プロセッサ１１０３は方法の実施例におけるネットワーク装置によって実行される方法を実行する。簡潔にするために、ここでは説明を省略する。
【０２０６】
上記実施例では、全部又は一部でソフトウェア、ハードウェア、ファームウェア又はそれらの任意の組み合わせによって実行されてもよい。ソフトウェアで実行される場合、全て又は部分的にコンピュータプログラム製品の形で実施されてもよい。該コンピュータプログラム製品は一つ又は複数のコンピュータ命令を含む。コンピュータで該コンピュータプログラム命令をロードして実行する場合、本出願の実施例に従って説明されたプロセス又は機能を全て部分的に生成する。該コンピュータは汎用コンピュータ、専用コンピュータ、コンピュータネットワーク、又は他のプログラマブルデバイスであってもよい。該コンピュータ命令はコンピュータ可読記憶媒体に記憶されてもよく、又は一つのコンピュータ読記憶媒体から別のコンピュータ読記憶媒体に伝送されてもよく、例えば、該コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ）又は無線（例えば赤外線、無線、マイクロ波など）で伝送されてもよい。該コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。該利用可能な媒体は磁気磁気媒体（例えばフロッピーディスク、ハードディスク、磁気テープ）、光学媒体（例えばＤＶＤ）、又は半導体媒体（例えばソリッドステートディスク（ＳＳＤ：Ｓｏｌｉｄ  Ｓｔａｔｅ  Ｄｉｓｋ））などであってもよい。
【０２０７】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０２０８】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２０９】
以上は、本出願の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。したがって、本出願の保護範囲は該請求項の保護範囲に準拠するべきである。
【図１】
2021503192.tif 000004
【図２】
2021503192.tif 000005
【図３】
2021503192.tif 000006
【図４】
2021503192.tif 000007
【図５】
2021503192.tif 000008
【図６】
2021503192.tif 000009
【図７】
2021503192.tif 000010
【図８】
2021503192.tif 000011
【図９】
2021503192.tif 000012
【図１０】
2021503192.tif 000013
【図１１】
2021503192.tif 000014
【図１２】
2021503192.tif 000015
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
伝送パラメータ確定方法であって、
第一の端末装置が、チャネルビジー率（ＣＢＲ）、伝送待ちサービスの優先度と第一のマッピング関係に基づき、前記第一の端末装置の伝送パラメータを確定し、前記第一のマッピング関係が、ＣＢＲ、サービス優先度と第一の端末装置の伝送パラメータとの対応関係を示すことに用いられることを含み、
ここで、前記第一の端末装置の伝送パラメータが変調及び符号化スキーム（ＭＣＳ）インデックスを含み、前記第一の端末装置のＭＣＳインデックスに対応するＭＣＳテーブルが、第二の端末装置のＭＣＳインデックスに対応するＭＣＳテーブルと異なり、前記第二の端末装置が、前記第一の端末装置と異なるバージョンの通信プロトコルをサポートする端末装置である、前記伝送パラメータ確定方法。
【請求項２】
前記方法はさらに、
前記第一の端末装置が、ネットワーク装置から前記第一のマッピング関係を受信することを含むことを特徴とする
請求項１に記載の方法。
【請求項３】
前記第一のマッピング関係が前記第一の端末装置に予め配置されることを特徴とする
請求項１に記載の方法。
【請求項４】
前記第一の端末装置がＲｅｌ−１５通信プロトコルをサポートし、前記第二の端末装置がＲｅｌ−１４通信プロトコルをサポートすることを特徴とする
請求項１−３のいずれか一項に記載の方法。
【請求項５】
前記方法はデバイスツデバイス（Ｄ２Ｄ）システムに応用されることを特徴とする
請求項１−４のいずれか一項に記載の方法。
【請求項６】
前記第一の端末装置が、前記ＣＢＲと前記伝送待ちサービスの優先度に基づいて第一の伝送パラメータを確定することと、
前記第一の端末装置が、前記第一の伝送パラメータを用いて前記伝送待ちサービスを送信することと、をさらに含み、
前記方法はさらに、
前記第一の端末装置が少なくとも一つの割合係数を取得し、ここで、前記少なくとも一つの割合係数がネットワーク装置によって配置され又は前記第一の端末装置に予め配置されることを含み、
前記第一の端末装置がＣＢＲと伝送待ちサービスの優先度に基づいて第一の伝送パラメータを確定することは、
前記第一の端末装置が、前記ＣＢＲと前記伝送待ちサービスの優先度に基づいて第二の伝送パラメータを確定することと、
前記第一の端末装置が、前記少なくとも一つの割合係数を用いて前記第二の伝送パラメータに対して処理し、前記第一の伝送パラメータを取得することと、を含むことを特徴とする
請求項１に記載の方法。
【請求項７】
前記第一の伝送パラメータは、変調及び符号化スキーム（ＭＣＳ）範囲及び／又は物理リソースブロック（ＰＲＢ）数範囲であり、前記第二の伝送パラメータは、ＭＣＳ範囲及び／又はＰＲＢ数範囲であることを特徴とする
請求項６に記載の方法。
【請求項８】
前記第一の伝送パラメータと前記第二の伝送パラメータはＭＣＳ範囲であり、前記第一の端末装置が割合係数Ｋを取得しており、Ｋが０より大きい実数であり、
前記第一の端末装置が、前記少なくとも一つの割合係数を用いて前記第二の伝送パラメータに対して処理し、前記第一の伝送パラメータを取得することは、
前記第一の端末装置が前記割合係数Ｋを用い、前記第二の伝送パラメータの最小ＭＣＳインデックスに対して処理し、前記第一の伝送パラメータの最小ＭＣＳインデックスを取得し、前記割合係数Ｋを用い、前記第二の伝送パラメータの最大ＭＣＳインデックスに対して処理し、前記第一の伝送パラメータの最大ＭＣＳインデックスを取得することと、
前記第一の端末装置が前記第一の伝送パラメータの最小ＭＣＳインデックスと最大ＭＣＳインデックスに基づき、前記第一の伝送パラメータを確定することとを含み、
前記第一の伝送パラメータと前記第二の伝送パラメータはＭＣＳ範囲であり、前記第一の端末装置が割合係数Ｍ、Ｎを取得しており、Ｍが０より大きい実数であり、Ｎが０より大きい実数であり、
前記第一の端末装置が、前記少なくとも一つの割合係数を用いて前記第二の伝送パラメータに対して処理し、前記第一の伝送パラメータを取得することは、
前記第一の端末装置が前記割合係数Ｍを用い、前記第二の伝送パラメータの最小ＭＣＳインデックスに対して処理し、前記第一の伝送パラメータの最小ＭＣＳインデックスを取得し、前記割合係数Ｎを用い、前記第二の伝送パラメータの最大ＭＣＳインデックスに対して処理し、前記第一の伝送パラメータの最大ＭＣＳインデックスを取得することと、
前記第一の端末装置が、前記第一の伝送パラメータの最小ＭＣＳインデックスと最大ＭＣＳインデックスに基づき、前記第一の伝送パラメータを確定することとを含むことを特徴とする
請求項７に記載の方法。
【請求項９】
前記第一の伝送パラメータと前記第二の伝送パラメータはＰＲＢ数範囲であり、前記第一の端末装置が割合係数Ｑを取得しており、Ｑが０より大きい実数であり、
前記第一の端末装置が、前記少なくとも一つの割合係数を用いて前記第二の伝送パラメータに対して処理し、前記第一の伝送パラメータを取得することは、
前記第一の端末装置が前記割合係数Ｑを用い、前記第二の伝送パラメータの最小ＰＲＢ数に対して処理し、前記第一の伝送パラメータの最小ＰＲＢ数を取得し、前記割合係数Ｑを用い、前記第二の伝送パラメータの最大ＰＲＢ数に対して処理し、前記第一の伝送パラメータの最大ＰＲＢ数を取得することと、
前記第一の端末装置が、前記第一の伝送パラメータの最小ＰＲＢ数と最大ＰＲＢ数に基づき、前記第一の伝送パラメータを確定することとを含み、
前記第一の伝送パラメータと前記第二の伝送パラメータはＰＲＢ数範囲であり、前記第一の端末装置が割合係数Ｘ、Ｙを取得しており、Ｘが０より大きい実数であり、Ｙが０より大きい実数であり、
前記第一の端末装置が、前記少なくとも一つの割合係数を用いて前記第二の伝送パラメータに対して処理し、前記第一の伝送パラメータを取得することは、
前記第一の端末装置が前記割合係数Ｘを用い、前記第二の伝送パラメータの最小ＰＲＢ数に対して処理し、前記第一の伝送パラメータの最小ＰＲＢ数を取得し、前記割合係数Ｙを用い、前記第二の伝送パラメータの最大ＰＲＢ数に対して処理し、前記第一の伝送パラメータの最大ＰＲＢ数を取得することと、
前記第一の端末装置が、前記第一の伝送パラメータの最小ＰＲＢ数と最大ＰＲＢ数に基づき、前記第一の伝送パラメータを確定することとを含むことを特徴とする
請求項７に記載の方法。
【請求項１０】
伝送パラメータ確定方法であって、
ネットワーク装置が、第一の端末装置に第一のマッピング関係を配置し、前記第一のマッピング関係が、チャネルビジー率（ＣＢＲ）、サービス優先度と第一の伝送パラメータとの対応関係を示すことに用いられることと、
前記ネットワーク装置が、第二の端末装置に第二のマッピング関係を配置し、前記第二のマッピング関係が、ＣＢＲ、サービス優先度と第二の伝送パラメータとの対応関係を示すことに用いられることとを含み、
ここで、前記第一の伝送パラメータが第一の変調及び符号化スキーム（ＭＣＳ）インデックスを含み、前記第二の伝送パラメータが第二のＭＣＳインデックスを含む、前記伝送パラメータ確定方法。
【請求項１１】
前記第一のＭＣＳインデックスが第一のＭＣＳテーブルに基づいて取得され、前記第二のＭＣＳインデックスが第二のＭＣＳテーブルに基づいて取得され、ここで、前記第一のＭＣＳテーブルと前記第二のＭＣＳテーブルが異なることを特徴とする
請求項１０に記載の方法。
【請求項１２】
前記第一の端末装置がＲｅｌ−１５通信プロトコルをサポートし、前記第二の端末装置がＲｅｌ−１４通信プロトコルをサポートすることを特徴とする
請求項１０又は１１に記載の方法。
【請求項１３】
前記方法はデバイスツデバイス（Ｄ２Ｄ）システムに応用されることを特徴とする
請求項１０−１２のいずれか一項に記載の方法。
【請求項１４】
端末装置であって、
請求項１−９のいずれか一項に記載の伝送パラメータ確定方法を実行するように構成される、
前記端末装置。
【請求項１５】
ネットワーク装置であって、
請求項１０−１３のいずれか１項に記載の伝送パラメータ確定方法を実行するように構成される、
前記ネットワーク装置。
【国際調査報告】
2021503192.tif 000016
2021503192.tif 000017
2021503192.tif 000018
2021503192.tif 000019